(57)【要約】      （修正有）【課題】安定して製造可能な格子を用いて、安定した画質の位相コントラスト画像が得られる放射線画像検出器、放射線撮影装置、及び放射線撮影システムの提供。【解決手段】放射線撮影システムは、第１の方向（ｘ方向）に配列された複数の条帯を有する第１の格子３１と、第１の格子３１を通過した放射線によって形成される放射線像のパターン周期に実質的に一致する周期で配列された複数の条帯を有する第２の格子３２と、第２の格子３２によってマスキングされた放射線像を複数の画素４０を用いて検出する放射線画像検出器３０と、を備え、第１、第２の格子３１，３２はそれぞれ、放射線の光軸に交差する面内において少なくとも第１の方向ｘ方向に配列された複数の格子片３１１，３２１を含み、格子片３１１，３２１のｘ方向における配列ピッチＰＣは、放射線画像検出器３０のｘ方向における画素ピッチＰＤの２倍以上である。【選択図】図１０
2014030439.tif 000002
【特許請求の範囲】
【請求項１】
第１の方向に配列された複数の条帯を有する第１の格子と、
前記第１の格子を通過した放射線によって形成される放射線像のパターン周期に実質的に一致する周期で配列された格子パターンと、
前記格子パターンによってマスキングされた前記放射線像を複数の画素を用いて検出する放射線画像検出器と、を備え、
前記第１の格子は、当該第１の格子を通過する放射線の光軸に交差する面内において少なくとも前記第１の方向に配列された複数の第１の格子片を含み、
前記第１の格子片の前記第１の方向における配列ピッチは、前記放射線画像検出器の前記第１の方向における画素ピッチの２倍以上であることを特徴とする放射線画像検出装置。
【請求項２】
請求項１に記載の放射線画像検出装置であって、
前記格子パターンは、第１の方向に配列された複数の条帯を有する第２の格子であり、
前記第２の格子は、当該第２の格子を通過する放射線の光軸と交差する面内において少なくとも前記第１の方向に配列された複数の第２の格子片を含み、
前記第２の格子片の前記第１の方向における配列ピッチは、前記放射線画像検出器の前記第１の方向における画素ピッチの２倍以上であることを特徴とする放射線画像検出装置。
【請求項３】
第１の方向に配列された複数の条帯を有する第１の格子と、
前記第１の格子を通過した放射線によって形成される放射線像のパターン周期に実質的に一致する周期で第１の方向に配列された複数の条帯を有する第２の格子と、
前記第２の格子によってマスキングされた前記放射線像を複数の画素を用いて検出する放射線画像検出器と、を備え、
前記第２の格子は、当該第２の格子を通過する放射線の光軸と交差する面内において少なくとも前記第１の方向に配列された複数の第２の格子片を含み、
前記第２の格子片の前記第１の方向における配列ピッチは、前記放射線画像検出器の前記第１の方向における画素ピッチの２倍以上であることを特徴とする放射線画像検出装置。
【請求項４】
請求項１から３のいずれか一項に記載の放射線画像検出装置であって、
前記第１の格子を通過する放射線は、放射線焦点からの距離に比例して照射範囲が拡大されるコーンビームであり、
前記配列ピッチは、当該配列ピッチを有する格子と放射線焦点との間の距離と、前記放射線画像検出器と放射線焦点との間の距離との比である拡大率に基づいて補正された値であることを特徴とする放射線画像検出装置。
【請求項５】
請求項２から４のいずれか一項に記載の放射線画像検出装置であって、
前記第１の格子片の配列ピッチと、前記第２の格子片の配列ピッチとは、ほぼ等しいことを特徴とする放射線画像検出装置。
【請求項６】
請求項１から５のいずれか一項に記載の放射線画像検出装置であって、
前記第１の格子及び前記第２の格子の少なくとも一方の格子において、
放射線の光軸に沿った方向での前記格子の寸法をｈ、前記格子の条帯と条帯との間隔をｄ、前記格子の配列ピッチをＰＢ、前記格子と放射線焦点との間の距離をＲとすると、
【数１】
2014030439.tif 000032
を満たすことを特徴とする放射線画像検出装置。
【請求項７】
請求項１から６のいずれか一項に記載の放射線画像検出装置であって、
前記配列ピッチは、前記放射線画像検出器によって検出されるモアレの基本周波数と、少なくとも第４次までの高調波成分の周波数とに基づいて決められることを特徴とする放射線撮影装置。
【請求項８】
請求項１から７のいずれか一項に記載の放射線画像検出装置であって、
前記配列ピッチは、前記画素ピッチの６倍以上であることを特徴とする放射線画像検出装置。
【請求項９】
請求項８に記載の放射線画像検出装置であって、
前記配列ピッチは、前記画素ピッチの８倍以上であることを特徴とする放射線画像検出装置。
【請求項１０】
請求項９に記載の放射線画像検出装置であって、
前記配列ピッチは、前記画素ピッチの１０倍以上であることを特徴とする放射線画像検出装置。
【請求項１１】
請求項１から１０のいずれか一項に記載の放射線画像検出装置であって、
前記第１の格子片及び前記第２の格子片の少なくとも一方は、隣り合う格子片の間に帯状の境界部を有することを特徴とする放射線画像検出装置。
【請求項１２】
請求項２から１１のいずれか一項に記載の放射線画像検出装置であって、
前記第１の格子片及び前記第２の格子片はそれぞれ、放射線焦点を通る軸を有する円筒面にほぼ沿って配置されることを特徴とする放射線画像検出装置。
【請求項１３】
請求項１から１２のいずれか一項に記載の放射線画像検出装置であって、
前記複数の第１の格子片及び前記複数の第２の格子片の少なくとも一方は、前記第１の方向と交差する第２の方向にも配列されることを特徴とする放射線画像検出装置。
【請求項１４】
請求項１から１３のいずれか一項に記載の放射線画像検出装置であって、
前記第１の格子及び前記第２の格子の少なくとも一方は、前記第１の方向と交差する第２方向に配列された複数の条帯を更に有することを特徴とする放射線画像検出装置。
【請求項１５】
請求項１から１４のいずれか一項に記載の放射線画像検出装置と、
前記第１の格子に向けて放射線を照射する放射線源とを備えることを特徴とする放射線撮影装置。
【請求項１６】
請求項１５に記載の放射線撮影装置と、
前記放射線撮影装置の前記放射線画像検出器により検出された画像から、前記放射線画像検出器に入射する放射線の屈折角の分布を演算し、この屈折角の分布に基づいて、被写体の位相コントラスト画像を生成する演算処理部と、を備えることを特徴とする放射線撮影システム。
【発明の詳細な説明】
【技術分野】
【０００１】
本発明は、Ｘ線等の放射線を用いた被写体の位相イメージングを可能とする放射線画像検出装置、放射線撮影装置、及び放射線撮影システムに関する。
【背景技術】
【０００２】
Ｘ線は、物質を構成する元素の原子番号と、物質の密度及び厚さとに依存して減衰するといった特性を有することから、被検体の内部を透視するためのプローブとして用いられている。Ｘ線を用いた撮影は、医療診断や非破壊検査等の分野において広く普及している。
【０００３】
一般的なＸ線撮影システムでは、Ｘ線を放射するＸ線源とＸ線を検出するＸ線画像検出器との間に被検体を配置して、被検体の透過像を撮影する。この場合、Ｘ線源からＸ線画像検出器に向けて放射された各Ｘ線は、Ｘ線画像検出器までの経路上に存在する物質の特性（原子番号、密度、厚さ）の差異に応じた量の減衰（吸収）を受けた後、Ｘ線画像検出器の各画素に入射する。この結果、被検体のＸ線吸収像がＸ線画像検出器により検出され画像化される。Ｘ線画像検出器としては、Ｘ線増感紙とフイルムとの組み合わせや輝尽性蛍光体のほか、半導体回路を用いたフラットパネル検出器（ＦＰＤ：Flat Panel Detector）が広く用いられている。
【０００４】
しかし、Ｘ線吸収能は、原子番号が小さい元素からなる物質ほど低くなるため、生体軟部組織やソフトマテリアルなどでは、Ｘ線吸収像としての十分な画像の濃淡（コントラスト）が得られないといった問題がある。例えば、人体の関節を構成する軟骨部とその周辺の関節液は、いずれも殆どの成分が水であり、両者のＸ線の吸収量の差が少ないため、濃淡差が得られにくい。
【０００５】
このような問題を背景に、近年、被検体によるＸ線の強度変化に代えて、被検体によるＸ線の位相変化（角度変化）に基づいた画像（以下、位相コントラスト画像と称する）を得るＸ線位相イメージングの研究が盛んに行われている。一般に、Ｘ線が物体に入射したとき、Ｘ線の強度よりも位相のほうが高い相互作用を示すことが知られている。このため、位相差を利用したＸ線位相イメージングでは、Ｘ線吸収能が低い弱吸収物体であっても高コントラストの画像を得ることができる。このようなＸ線位相イメージングの一種として、近年、２枚の透過回折格子（位相型格子及び吸収型格子）とＸ線画像検出器とからなるＸ線タルボ干渉計を用いたＸ線撮影システムが考案されている（例えば、特許文献１参照）。
【０００６】
Ｘ線タルボ干渉計は、被検体の背後に第１の回折格子（位相型格子あるいは吸収型格子）を配置し、第１の回折格子の格子ピッチとＸ線波長で決まる特定距離（タルボ干渉距離）だけ下流に第２の回折格子（吸収型格子）を配置し、その背後にＸ線画像検出器を配置することにより構成される。上記タルボ干渉距離とは、第１の回折格子を通過したＸ線が、タルボ干渉効果によって自己像を形成する距離であり、この自己像は、Ｘ線源と第１の回折格子との間に配置された被検体とＸ線との相互作用（位相変化）により変調を受ける。
【０００７】
Ｘ線タルボ干渉計では、第１の回折格子の自己像と第２の回折格子との重ね合わせ（強度変調）により生じるモアレ縞を検出し、被検体によるモアレ縞の変化を解析することによって被検体の位相情報を取得する。モアレ縞の解析方法としては、例えば、縞走査法が知られている。この縞走査法によると、第１の回折格子に対して第２の回折格子を、第１の回折格子の面にほぼ平行で、かつ第１の回折格子の格子方向（条帯方向）にほぼ垂直な方向に、格子ピッチを等分割した走査ピッチで並進移動させながら複数回の撮影を行い、Ｘ線画像検出器で得られる各画素値の変化から、被検体で屈折したＸ線の角度分布（位相シフトの微分像）を取得する方法であり、この角度分布に基づいて被検体の位相コントラスト画像を得ることができる。
【０００８】
上述のような位相イメージングに用いられるＸ線格子は、測定対象の大きさから、例えば視野角数十ｃｍに対応する大きさが必要となる。この格子サイズに関し、特許文献２では、第１の格子、第２の格子、及びＸ線画像検出器が一体とされたモジュールを多数配列することにより、個々のモジュールサイズは小さくても全体として必要な大きさの視野サイズを実現している。
【先行技術文献】
【特許文献】
【０００９】
【特許文献１】特開２００８−２００３５９号公報
【特許文献２】特開２００７−２０３０６１号公報
【発明の概要】
【発明が解決しようとする課題】
【００１０】
ところで、Ｘ線格子には、格子パターンの高アスペクト比（格子開口幅に対する格子厚みの比率が高い）が要求される。吸収型格子については特に高いアスペクト比が要求される。画像診断を目的として生体を撮影するために、通常の医療用Ｘ線源により管電圧５０ｋＶのＸ線を用いると、数μｍの格子開口幅に対して条帯の厚み（高さ）は数１０〜１００μｍが必要である。高アスペクト比の格子パターンを形成可能な方法としては、フォトリソグラフィーの手法におけるエッチングプロセスなどがある。たとえば、基板上に金、白金などの重金属のパターン（条帯）が深いエッチングを用いて数μｍの格子ピッチで形成される。格子パターンの製造には、このように高アスペクト比で形成することの困難さに加え、視野サイズ相応の広さの面内均一性（サブミクロンオーダー）も要求されるので、格子の安定的な製造は非常に難しい。
【００１１】
このため、小さいサイズの複数の格子片を配列して１枚の格子として用いることが考えられるが、格子片の配列ピッチとＸ線画像検出器の画素ピッチとの相関により測定に不要なモアレが生じうる。すなわち、格子片と格子片との継ぎ目が格子片の寸法に応じた周期の配列ピッチを有するため、この配列ピッチと画素ピッチとのそれぞれの周期性の重ね合わせにより、Ｘ線画像検出器において画像取得する際にモアレが生じうる。
【００１２】
ここで、位相イメージングでは、第１の格子を通過したＸ線によって形成される縞状のＸ線像（以下、Ｇ１像と呼ぶことがある）を、このＧ１像のピッチと実質的に等しいピッチの第２の格子でマスクし、第１、第２格子を格子パターンの配列方向に相対的に走査した際にＧ１像と第２の格子とのモアレが移動することに伴う強度変調信号をＸ線画像検出器で検出し、更に、Ｘ線が被写体を通過しないときの強度変調信号と、Ｘ線が被写体を通過したときの強度変調信号との位相のズレから位相コントラスト画像を形成する。
【００１３】
上述のように複数の格子片が配列されて第１、第２の格子がそれぞれ構成される場合には、Ｇ１像、第２の格子との関係で生じるモアレに加え、格子片と画素とのそれぞれの周期によって生じるモアレも考慮しなくてはならない。すなわち、Ｘ線画像検出器の検出面には、Ｇ１像と第２の格子との関係で生じたモアレと、格子片と画素との関係で生じたモアレとが重畳する。
【００１４】
ここで、強度変調信号を検出するためには、Ｘ線画像検出器の検出面におけるモアレの周波数と画素周期の周波数とが一致せず、かつ互いに整数倍の関係にもないことが要請される。更に、強度変調信号の位相のズレを高感度に検出するためには、強度変調信号を高いコントラストで得る必要があり、このためには、画素周期の周波数よりもモアレ周波数を低くする必要がある。
また、強度変調信号の位相のズレは、被写体がない時に撮影したいわゆるプレ撮影と、被写体がある時に撮影したいわゆる本撮影とのそれぞれにおけるモアレ画像から形成された強度変調信号の比較によって求められるため、プレ撮影時と本撮影時との間にモアレ周波数が変動することによってアーチファクトが発生し、位相コントラスト画像の画質が低下してしまう。
なお、特許文献２ではアーチファクトに関して言及しているが、その具体的な対策については触れられていない。
【００１５】
上記のように、強度変調信号の位相ズレの検出原理から、モアレ周波数が、画素周波数と一致しない（整数倍でもない）好適な値の範囲から逸脱しないことが要請される。すなわち、画像測定に好適な画質の位相コントラスト画像を安定的に得るためには、モアレの周波数が安定していることが重要である。
【００１６】
本件発明の発明者が鋭意研究したところ、格子片の配列ピッチと画素ピッチとの比率変化に対してモアレ周波数が大きく変動し得るという新たな知見が得られた。このような格子片配列ピッチと画素ピッチとの比率変化は、たとえば振動や温度変化による格子とＸ線画像検出器との相対距離や相対回転角度のズレなどによって容易に生じ、位相コントラスト画像の画質を低下させてしまう。
【００１７】
以上から、本発明の目的は、安定して製造可能な格子を用いて、安定した画質の位相コントラスト画像が得られる放射線画像検出器、放射線撮影装置、及び放射線撮影システムを提供することにある。
【課題を解決するための手段】
【００１８】
第１の方向に配列された複数の条帯を有する第１の格子と、
前記第１の格子を通過した放射線によって形成される放射線像のパターン周期に実質的に一致する周期で配列された格子パターンと、
前記格子パターンによってマスキングされた前記放射線像を複数の画素を用いて検出する放射線画像検出器と、を備え、
前記第１の格子は、当該第１の格子を通過する放射線の光軸と交差する面内において少なくとも前記第１の方向に配列された複数の第１の格子片を含み、
前記第１の格子片の前記第１の方向における配列ピッチは、前記放射線画像検出器の前記第１の方向における画素ピッチの２倍以上であることを特徴とする放射線画像検出装置。
【００１９】
第１の方向に配列された複数の条帯を有する第１の格子と、
前記第１の格子を通過した放射線によって形成される放射線像のパターン周期に実質的に一致する周期で第１の方向に配列された複数の条帯を有する第２の格子と、
前記第２の格子によってマスキングされた前記放射線像を複数の画素を用いて検出する放射線画像検出器と、を備え、
前記第２の格子は、当該第２の格子を通過する放射線の光軸と交差する面内において少なくとも前記第１の方向に配列された複数の第２の格子片を含み、
前記第２の格子片の前記第１の方向における配列ピッチは、前記放射線画像検出器の前記第１の方向における画素ピッチの２倍以上であることを特徴とする放射線画像検出装置。
【００２０】
上述の放射線撮影装置と、
前記放射線撮影装置の前記放射線画像検出器により検出された画像から、前記放射線画像検出器に入射する放射線の屈折角の分布を演算し、この屈折角の分布に基づいて、被写体の位相コントラスト画像を生成する演算処理部と、を備えることを特徴とする放射線撮影システム。
【発明の効果】
【００２１】
本発明によれば、必要な視野サイズに対応する大きさの格子を安定的に製造できるとともに、格子片の配列に起因して位相コントラスト画像の画質が低下することなく、安定した画質の位相コントラスト画像が得られる。
【図面の簡単な説明】
【００２２】
【図１】本発明の実施形態を説明するための放射線撮影システムの一例の構成を模式的に示す側面図である。
【図２】図１の放射線撮影システムの制御ブロック図である。
【図３】ブロックを用いて放射線画像検出器の構成を示す模式図である。
【図４】第１、第２の格子及び放射線画像検出器の斜視図である。
【図５】第１、第２の格子及び放射線画像検出器の側面図である。
【図６】第１及び第２の格子の相互作用による干渉縞（モアレ）の周期を変更するための機構を示す模式図である。
【図７】第１、第２の格子及びＦＰＤを模式的に示す側面図である。
【図８】画素ピッチと配列ピッチとの比に対するモアレ周波数の変動についての特性を示すグラフである。
【図９】高調波成分のモアレ周波数の変動特性を示すグラフである。
【図１０】第１、第２の格子片の配列ピッチと画素ピッチとの寸法関係を示す模式図である。
【図１１】配列ピッチの上限について幾何学的に示す模式図である。
【図１２】被写体による放射線の屈折を説明するための模式図である。
【図１３】縞走査法を説明するための模式図である。
【図１４】縞走査に伴う放射線画像検出器の画素の信号を示すグラフである。
【図１５】ｘ方向及びｙ方向に配列された複数の格子片を有する格子を模式的に示す平面図である。
【図１６】本発明の実施形態を説明するための放射線撮影システムの他の例の構成を示す模式図である。
【図１７】図１６の放射線撮影システムの変形例の構成を示す模式図である。
【図１８】本発明の実施形態を説明するための放射線撮影システムの他の例の構成を示す模式図である。
【図１９】本発明の実施形態を説明するための放射線撮影システムの他の例の構成を示す模式図である。
【図２０】二次元格子を模式的に示す平面図である。
【図２１】本発明の実施形態を説明するための放射線撮影システムの他の例の構成を示す模式図である。
【図２２】本発明の実施形態を説明するための放射線撮影システムの他の例に関し、その放射線画像検出器の構成を示す。
【図２３】本発明の実施形態を説明するための放射線撮影システムの他の例の概略構成図である。
【図２４】光読取方式の放射線画像検出器の概略構成を示す図である。
【図２５】第１の格子、第２の格子及び放射線画像検出器の画素の配置関係を示す図である。
【図２６】第２の格子に対する第１の格子の傾き角を設定する方法を説明するための図である。
【図２７】第２の格子に対する第１の格子の傾き角の調整方法を説明するための図である。
【図２８】光読取方式の放射線画像検出器の記録の作用を説明するための図である。
【図２９】光読取方式の放射線画像検出器の読取りの作用を説明するための図である。
【図３０】光読取方式の放射線画像検出器から読み取られた画像信号に基づいて、複数の縞画像を取得する作用を説明するための図である。
【図３１】光読取方式の放射線画像検出器から読み取られた画像信号に基づいて、複数の縞画像を取得する作用を説明するための図である。
【図３２】ＴＦＴスイッチを用いた放射線画像検出器と第１及び第２の格子との配置関係を示す図である。
【図３３】ＣＭＯＳを用いた放射線画像検出器の概略構成を示す図である。
【図３４】ＣＭＯＳを用いた放射線画像検出器の１つの画素回路の構成を示す図である。
【図３５】ＣＭＯＳを用いた放射線画像検出器と第１及び第２の格子との配置関係を示す図である。
【図３６】本発明の実施形態を説明するための放射線位相画像撮影装置の他の例の概略構成図である。
【図３７】放射線画像検出器の一実施形態の概略構成を示す図である。
【図３８】放射線画像検出器の一実施形態の記録の作用を説明するための図である。
【図３９】放射線画像検出器の一実施形態の読取りの作用を説明するための図である。
【図４０】放射線画像検出器のその他の実施形態を示す図である。
【図４１】放射線画像検出器のその他の実施形態の記録の作用を説明するための図である。
【図４２】放射線画像検出器のその他の実施形態の読取りの作用を説明するための図である。
【図４３】格子面を曲面状に凹面化した格子の一例を示す図である。
【図４４】本発明の実施形態を説明するための放射線撮影システムの他の例に関し、その演算処理部の構成を示すブロック図である。
【図４５】図４４の放射線撮影システムの演算処理部における処理を説明するための放射線画像検出器の画素の信号を示すグラフである。
【発明を実施するための形態】
【００２３】
図１は、本発明の実施形態を説明するための放射線撮影システムの一例の構成を示し、図２は、図１の放射線撮影システムの制御ブロックを示す。
なお、既に述べた構成と同様の構成については同一符号を付してその説明を省略し、既に述べた構成との差異についてのみ説明する。
【００２４】
Ｘ線撮影システム１０は、被写体（患者）Ｈを立位状態で撮影するＸ線診断装置であって、被写体ＨにＸ線を照射するＸ線源１１と、Ｘ線源１１との間に被写体Ｈを介在させた状態でＸ線源１１に対向配置され、Ｘ線源１１から被写体Ｈを透過したＸ線を検出して画像データを生成する放射線画像検出装置としての撮影部１２と、操作者の操作に基づいてＸ線源１１の曝射動作や撮影部１２の撮影動作を制御するとともに、撮影部１２により取得された画像データを演算処理して位相コントラスト画像を生成するコンソール１３（図２）とに大別される。
【００２５】
Ｘ線源１１は、天井から吊り下げられたＸ線源保持装置１４により上下方向（ｘ方向）に移動自在に保持されている。
撮影部１２は、床上に設置された立位スタンド１５により上下方向に移動自在に保持されている。
【００２６】
Ｘ線源１１は、Ｘ線源制御部１７の制御に基づき、高電圧発生器１６から印加される高電圧に応じてＸ線を発生するＸ線管１８と、Ｘ線管１８から発せられたＸ線のうち、被写体Ｈの検査領域に寄与しない部分を遮蔽するように照射野を制限する可動式のコリメータ１９ａを備えたコリメータユニット１９とから構成されている。Ｘ線管１８は、陽極回転型であり、電子放出源（陰極）としてのフィラメント（図示せず）から電子線を放出して、所定の速度で回転する回転陽極１８ａに衝突させることによりＸ線を発生する。この回転陽極１８ａの電子線の衝突部分がＸ線焦点１８ｂとなる。
【００２７】
Ｘ線源保持装置１４は、天井に設置された天井レール（図示せず）により水平方向（ｚ方向）に移動自在に構成された台車部１４ａと、上下方向に連結された複数の支柱部１４ｂとからなる。台車部１４ａには、支柱部１４ｂを伸縮させて、Ｘ線源１１の上下方向に関する位置を変更するモータ（図示せず）が設けられている。
【００２８】
立位スタンド１５は、床に設置された本体１５ａに、撮影部１２を保持する保持部１５ｂが上下方向に移動自在に取り付けられている。保持部１５ｂは、上下方向に離間して配置された２つのプーリ１５ｃの間に掛架された無端ベルト１５ｄに接続され、プーリ１５ｃを回転させるモータ（図示せず）により駆動される。このモータの駆動は、操作者の設定操作に基づき、後述するコンソール１３の制御装置２０により制御される。
【００２９】
また、立位スタンド１５には、プーリ１５ｃ又は無端ベルト１５ｄの移動量を計測することにより、撮影部１２の上下方向に関する位置を検出するポテンショメータ等の位置センサ（図示せず）が設けられている。この位置センサの検出値は、ケーブル等によりＸ線源保持装置１４に供給される。Ｘ線源保持装置１４は、供給された検出値に基づいて支柱部１４ｂを伸縮させ、撮影部１２の上下動に追従するようにＸ線源１１を移動させる。
【００３０】
コンソール１３には、ＣＰＵ、ＲＯＭ、ＲＡＭ等からなる制御装置２０が設けられている。制御装置２０には、操作者が撮影指示やその指示内容を入力する入力装置２１と、撮影部１２により取得された画像データを演算処理してＸ線画像を生成する演算処理部２２と、Ｘ線画像を記憶する記憶部２３と、Ｘ線画像等を表示するモニタ２４と、Ｘ線撮影システム１０の各部と接続されるインターフェース（Ｉ／Ｆ）２５とがバス２６を介して接続されている。
【００３１】
入力装置２１としては、例えば、スイッチ、タッチパネル、マウス、キーボード等を用いることが可能であり、入力装置２１の操作により、Ｘ線管電圧やＸ線照射時間等のＸ線撮影条件、撮影タイミング等が入力される。モニタ２４は、液晶ディスプレイ等からなり、制御装置２０の制御により、Ｘ線撮影条件等の文字やＸ線画像を表示する。
【００３２】
撮影部１２は、半導体回路からなる放射線画像検出器としてのフラットパネル検出器（ＦＰＤ）３０、被写体ＨによるＸ線の位相変化（角度変化）を検出し位相イメージングを行うための第１の吸収型格子３１及び第２の吸収型格子３２を有する。
【００３３】
撮影部１２には、第２の吸収型格子３２を上下方向（ｘ方向）に並進移動させることにより、第１の吸収型格子３１及び第２の吸収型格子３２を相対移動させる走査手段３３が設けられている。
【００３４】
ＦＰＤ３０は、検出面がＸ線源１１から照射されるＸ線の光軸Ａに直交するように配置されている。詳しくは後述するが、第１及び第２の吸収型格子３１，３２は、ＦＰＤ３０とＸ線源１１との間に配置されている。
【００３５】
図３は、図１の放射線撮影システムに含まれる放射線画像検出器の構成を示す。
【００３６】
放射線画像検出器としてのＦＰＤ３０は、Ｘ線を電荷に変換して蓄積する複数の画素４０がアクティブマトリクス基板上にｘｙ方向に２次元配列されてなる受像部４１と、受像部４１からの電荷の読み出しタイミングを制御する走査回路４２と、各画素４０に蓄積された電荷を読み出し、電荷を画像データに変換して記憶する読み出し回路４３と、画像データをコンソール１３のＩ／Ｆ２５を介して演算処理部２２に送信するデータ送信回路４４とから構成されている。なお、走査回路４２と各画素４０とは、行毎に走査線４５によって接続されており、読み出し回路４３と各画素４０とは、列毎に信号線４６によって接続されている。
【００３７】
各画素４０は、アモルファスセレン等の変換層（図示せず）でＸ線を電荷に直接変換し、変換された電荷を変換層の下部の電極に接続されたキャパシタ（図示せず）に蓄積する直接変換型の素子として構成することができる。各画素４０には、ＴＦＴスイッチ（図示せず）が接続され、ＴＦＴスイッチのゲート電極が走査線４５、ソース電極がキャパシタ、ドレイン電極が信号線４６に接続される。ＴＦＴスイッチが走査回路４２からの駆動パルスによってＯＮ状態になると、キャパシタに蓄積された電荷が信号線４６に読み出される。
【００３８】
なお、各画素４０は、酸化ガドリニウム（Ｇｄ２Ｏ３）やヨウ化セシウム（ＣｓＩ）等からなるシンチレータ（図示せず）でＸ線を一旦可視光に変換し、変換された可視光をフォトダイオード（図示せず）で電荷に変換して蓄積する間接変換型のＸ線検出素子として構成することも可能である。また、Ｘ線画像検出器としては、ＴＦＴパネルをベースとしたＦＰＤに限られず、ＣＣＤセンサやＣＭＯＳセンサ等の固体撮像素子をベースとした各種のＸ線画像検出器を用いることも可能である。
【００３９】
読み出し回路４３は、積分アンプ回路、Ａ／Ｄ変換器、補正回路、及び画像メモリ（いずれも図示せず）により構成されている。積分アンプ回路は、各画素４０から信号線４６を介して出力された電荷を積分して電圧信号（画像信号）に変換して、Ａ／Ｄ変換器に入力する。Ａ／Ｄ変換器は、入力された画像信号をデジタルの画像データに変換して補正回路に入力する。補正回路は、画像データに対して、オフセット補正、ゲイン補正、及びリニアリティ補正を行い、補正後の画像データを画像メモリに記憶させる。なお、補正回路による補正処理として、Ｘ線の露光量や露光分布（いわゆるシェーディング）の補正や、ＦＰＤ３０の制御条件（駆動周波数や読み出し期間）に依存するパターンノイズ（例えば、ＴＦＴスイッチのリーク信号）の補正等を含めてもよい。
【００４０】
図４及び図５は、第１、第２の格子３１，３２及びＦＰＤ３０を示す。
【００４１】
第１の吸収型格子３１は、複数の第１の格子片３１１が配列されて構成されており、第１の格子片３１１のそれぞれは、基板３１ａと、この基板３１ａに配置された複数の条帯としてのＸ線遮蔽部３１ｂとを有して構成されている。格子パターンである第２の吸収型格子３２もまた、複数の第２の格子片３２１が配列されて構成されており、第２の格子片３２１のそれぞれは、基板３２ａと、この基板３２ａに配置された複数の条帯としてのＸ線遮蔽部３２ｂとを有して構成されている。基板３１ａ，３２ａは、いずれもＸ線を透過させるガラス等のＸ線透過性部材により形成されている。第１、第２の格子片３１１，３２１はいずれも、Ｘ線の光軸Ａと直交する面内（ｘｙ面内）において第１の方向としてのｘ方向に配列されている。
【００４２】
Ｘ線遮蔽部３１ｂ，３２ｂは、いずれもＸ線源１１から照射されるＸ線の光軸Ａに直交する面内の一方向（ｘ方向及びｙ方向のうち一方の方向であり、図４の例ではｙ方向）に延伸した線状の部材で構成される。各Ｘ線遮蔽部３１ｂ，３２ｂの材料としては、Ｘ線吸収性に優れるものが好ましく、例えば、金、白金等の重金属であることが好ましい。これらのＸ線遮蔽部３１ｂ，３２ｂは、金属メッキ法や蒸着法によって形成することが可能である。
【００４３】
Ｘ線遮蔽部３１ｂは、Ｘ線の光軸Ａに直交する面内において、上記一方向と直交する方向（図４の例では第１の方向としてのｘ方向）に一定のピッチｐ１で、互いに所定の間隔ｄ１を空けて配列されている。同様に、Ｘ線遮蔽部３２ｂも、Ｘ線の光軸Ａに直交する面内において、ｘ方向に一定のピッチｐ２で、互いに所定の間隔ｄ２を空けて配列されている。
このような第１及び第２の吸収型格子３１，３２は、入射Ｘ線に位相差を与えるものでなく、強度差を与えるものであるため、振幅型格子とも称される。なお、スリット部（上記間隔ｄ１，ｄ２の領域）は空隙でなくてもよく、例えば、高分子や軽金属などのＸ線低吸収材で該空隙を充填してもよい。
【００４４】
第１、第２の格子３１，３２は、複数の格子片３１１，３２１をそれぞれ含んで構成されるので、第１、第２の格子３１，３２の製造時には、各格子片３１１，３２１の単位で製造可能となる。すなわち、スリット開口とＸ線遮蔽部の厚み（高さ）との高アスペクト比が要求され、その上視野サイズ相応の広さの面内均一性の要件もきびしい格子パターンを狭い面積単位で製造できるので、第１、第２の格子３１，３２の製造が容易となり、安定的に製造可能となる。
【００４５】
第１及び第２の吸収型格子３１，３２は、タルボ干渉効果の有無に係らず、スリット部を通過したＸ線を幾何学的に投影するように構成されている。具体的には、間隔ｄ１，ｄ２を、Ｘ線源１１から照射されるＸ線のピーク波長より十分大きな値とすることで、照射Ｘ線に含まれる大部分のＸ線をスリット部で回折させずに、直進性を保ったまま通過するように構成する。例えば、前述の回転陽極１８ａとしてタングステンを用い、管電圧を５０ｋＶとした場合には、Ｘ線のピーク波長は、約０．４Åである。この場合には、間隔ｄ１，ｄ２を、１〜１０μｍ程度とすれば、スリット部で大部分のＸ線が回折されずに幾何学的に投影される。
【００４６】
Ｘ線源１１から放射されるＸ線は、平行ビームではなく、Ｘ線焦点１８ｂを発光点としたコーンビームであるため、第１の吸収型格子３１を通過して射影される投影像（以下、この投影像をＧ１像と称する）は、Ｘ線焦点１８ｂからの距離に比例して拡大される。第２の吸収型格子３２の格子ピッチｐ２及び間隔ｄ２は、そのスリット部が、第２の吸収型格子３２の位置におけるＧ１像の明部の周期パターンと実質的に一致するように決定されている。すなわち、Ｘ線焦点１８ｂから第１の吸収型格子３１までの距離をＬ１、第１の吸収型格子３１から第２の吸収型格子３２までの距離をＬ２とした場合に、格子ピッチｐ２及び間隔ｄ２は、次式（１）及び（２）の関係を満たすように決定される。
【００４７】
【数１】
2014030439.tif 000003
【００４８】
【数２】
2014030439.tif 000004
【００４９】
第１の吸収型格子３１から第２の吸収型格子３２までの距離Ｌ２は、タルボ干渉計では、第１の回折格子の格子ピッチとＸ線波長とで決まるタルボ干渉距離に制約されるが、本Ｘ線撮影システム１０の撮影部１２では、第１の吸収型格子３１が入射Ｘ線を回折させずに投影させる構成であって、第１の吸収型格子３１のＧ１像が、第１の吸収型格子３１の後方のすべての位置で相似的に得られるため、該距離Ｌ２を、タルボ干渉距離と無関係に設定することができる。
【００５０】
上記のように撮影部１２は、タルボ干渉計を構成するものではないが、第１の吸収型格子３１でＸ線を回折したと仮定した場合のタルボ干渉距離Ｚは、第１の吸収型格子３１の格子ピッチｐ１、第２の吸収型格子３２の格子ピッチｐ２、Ｘ線波長（ピーク波長）λ、及び正の整数ｍを用いて、次式（３）で表される。
【００５１】
【数３】
2014030439.tif 000005
【００５２】
式（３）は、Ｘ線源１１から照射されるＸ線がコーンビームである場合のタルボ干渉距離を表す式であり、「Atsushi Momose, et al., Japanese Journal of Applied Physics, Vol.47, No.10, 2008年10月, 8077頁」により知られている。
【００５３】
本Ｘ線撮影システム１０では、撮影部１２の薄型化を目的とし、上記距離Ｌ２を、ｍ＝１の場合の最小のタルボ干渉距離Ｚより短い値に設定する。すなわち、上記距離Ｌ２は、次式（４）を満たす範囲の値に設定される。
【００５４】
【数４】
2014030439.tif 000006
【００５５】
なお、Ｘ線源１１から照射されるＸ線が実質的に平行ビームとみなせる場合のタルボ干渉距離Ｚは次式（５）となり、上記距離Ｌ２を、次式（６）を満たす範囲の値に設定する。
【００５６】
【数５】
2014030439.tif 000007
【００５７】
【数６】
2014030439.tif 000008
【００５８】
Ｘ線遮蔽部３１ｂ，３２ｂは、コントラストの高い周期パターン像を生成するためには、Ｘ線を完全に遮蔽（吸収）することが好ましいが、上記したＸ線吸収性に優れる材料（金、白金等）を用いたとしても、吸収されずに透過するＸ線が少なからず存在する。このため、Ｘ線の遮蔽性を高めるためには、Ｘ線遮蔽部３１ｂ，３２ｂのそれぞれの厚みｈ１，ｈ２を、可能な限り厚くすることが好ましい。例えば、Ｘ線管１８の管電圧が５０ｋＶの場合に、照射Ｘ線の９０％以上を遮蔽することが好ましく、この場合には、厚みｈ１，ｈ２は、金（Ａｕ）換算で３０μｍ以上であることが好ましい。
【００５９】
一方、Ｘ線遮蔽部３１ｂ，３２ｂの厚みｈ１，ｈ２を厚くし過ぎると、斜めに入射するＸ線がスリット部を通過しにくくなり、いわゆるケラレが生じて、Ｘ線遮蔽部３１ｂ，３２ｂの延伸方向（条帯方向）に直交する方向（ｘ方向）の有効視野が狭くなるといった問題がある。このため、視野確保の観点から、厚みｈ１，ｈ２の上限を規定する。ＦＰＤ３０の検出面におけるｘ方向の有効視野の長さＶを確保するには、Ｘ線焦点１８ｂからＦＰＤ３０の検出面までの距離をＬとすると、厚みｈ１，ｈ２は、図５に示す幾何学的関係から、次式（７）及び（８）を満たすように設定する必要がある。
【００６０】
【数７】
2014030439.tif 000009
【００６１】
【数８】
2014030439.tif 000010
【００６２】
例えば、ｄ１＝２．５μｍ、ｄ２＝３．０μｍであり、通常の病院での検査を想定して、Ｌ＝２ｍとした場合には、ｘ方向の有効視野の長さＶとして１０ｃｍの長さを確保するには、厚みｈ１は１００μｍ以下、厚みｈ２は１２０μｍ以下とすればよい。
【００６３】
以上のように構成された撮影部１２では、第１の吸収型格子３１のＧ１像と第２の吸収型格子３２との重ね合わせにより、強度変調された像が形成され、ＦＰＤ３０によって撮像される。第２の吸収型格子３２の位置におけるＧ１像のパターン周期ｐ１’と、第２の吸収型格子３２の実質的な格子ピッチｐ２’（製造後の実質的なピッチ）とは、製造誤差や配置誤差により若干の差異が生じる。このうち、配置誤差とは、第１及び第２の吸収型格子３１，３２が、相対的に傾斜や回転、両者の間隔が変化することによりｘ方向への実質的なピッチが変化することを意味している。
【００６４】
Ｇ１像のパターン周期ｐ１’と格子ピッチｐ２’との微小な差異により、画像コントラストはモアレ縞となる。このモアレ縞の周期Ｔは、次式（９）で表される。
【００６５】
【数９】
2014030439.tif 000011
【００６６】
このモアレ縞をＦＰＤ３０で検出するには、画素４０のｘ方向に関する配列ピッチＰＤは、少なくとも次式（１０）を満たす必要があり、更には、次式（１１）を満たすことが好ましい（ここで、ｎは正の整数である）。
【００６７】
【数１０】
2014030439.tif 000012
【００６８】
【数１１】
2014030439.tif 000013
【００６９】
式（１０）は、配列ピッチＰＤがモアレ周期Ｔの整数倍でないことを意味しており、ｎ≧２の場合であっても原理的にモアレ縞を検出することが可能である。式（１１）は、配列ピッチＰＤをモアレ周期Ｔより小さくすることを意味している。
【００７０】
ＦＰＤ３０の画素４０の配列ピッチＰＤは、設計的に定められた値（一般的に１００μｍ程度）であり変更することが困難であるため、配列ピッチＰＤとモアレ周期Ｔとの大小関係を調整するには、第１及び第２の吸収型格子３１，３２の位置調整を行い、Ｇ１像のパターン周期ｐ１’と格子ピッチｐ２’との少なくともいずれか一方を変更することによりモアレ周期Ｔを変更することが好ましい。
【００７１】
図６に、モアレ周期Ｔを変更する方法を示す。
【００７２】
モアレ周期Ｔの変更は、第１及び第２の吸収型格子３１，３２のいずれか一方を、光軸Ａを中心として相対的に回転させることにより行うことができる。例えば、第１の吸収型格子３１に対して、第２の吸収型格子３２を、光軸Ａを中心として相対的に回転させる相対回転機構５０を設ける。この相対回転機構５０により、第２の吸収型格子３２を角度θだけ回転させると、ｘ方向に関する実質的な格子ピッチは、「ｐ２’」→「ｐ２’／ｃｏｓθ」と変化し、この結果、モアレ周期Ｔが変化する（ＦＩＧ．６Ａ）。
【００７３】
別の例として、モアレ周期Ｔの変更は、第１及び第２の吸収型格子３１，３２のいずれか一方を、光軸Ａに直交し、かつｙ方向に沿う方向の軸を中心として相対的に傾斜させることにより行うことができる。例えば、第１の吸収型格子３１に対して、第２の吸収型格子３２を、光軸Ａに直交し、かつｙ方向に沿う方向の軸を中心として相対的に傾斜させる相対傾斜機構５１を設ける。この相対傾斜機構５１により、第２の吸収型格子３２を角度αだけ傾斜させると、ｘ方向に関する実質的な格子ピッチは、「ｐ２’」→「ｐ２’×ｃｏｓα」と変化し、この結果、モアレ周期Ｔが変化する（ＦＩＧ．６Ｂ）。
【００７４】
更に別の例として、モアレ周期Ｔの変更は、第１及び第２の吸収型格子３１，３２のいずれか一方を光軸Ａの方向に沿って相対的に移動させることにより行うことができる。例えば、第１の吸収型格子３１と第２の吸収型格子３２との間の距離Ｌ２を変更するように、第１の吸収型格子３１に対して、第２の吸収型格子３２を、光軸Ａの方向に沿って相対的に移動させる相対移動機構５２を設ける。この相対移動機構５２により、第２の吸収型格子３２を光軸Ａに移動量δだけ移動させると、第２の吸収型格子３２の位置に投影される第１の吸収型格子３１のＧ１像のパターン周期は、「ｐ１’」→「ｐ１’×（Ｌ１＋Ｌ２＋δ）／（Ｌ１＋Ｌ２）」と変化し、この結果、モアレ周期Ｔが変化する（ＦＩＧ．６Ｃ）。
【００７５】
本Ｘ線撮影システム１０において、撮影部１２は、上述のようにタルボ干渉計ではなく、距離Ｌ２を自由に設定することができるため、相対移動機構５２のように距離Ｌ２の変更によりモアレ周期Ｔを変更する機構を、好適に採用することができる。モアレ周期Ｔを変更するための第１及び第２の吸収型格子３１，３２の上記変更機構（相対回転機構５０、相対傾斜機構５１、及び相対移動機構５２）は、圧電素子等のアクチュエータにより構成することが可能である。
【００７６】
Ｘ線源１１と第１の吸収型格子３１との間に被写体Ｈを配置した場合には、ＦＰＤ３０により検出されるモアレ縞は、被写体Ｈにより変調を受ける。この変調量は、被写体Ｈによる屈折効果によって偏向したＸ線の角度に比例する。したがって、ＦＰＤ３０で検出されたモアレ縞を解析することによって、被写体Ｈの位相コントラスト画像を生成することができる。
【００７７】
図７は、第１、第２の格子３１，３２及びＦＰＤ３０を模式的に示す側面図である。隣り合う第１の格子片３１１，３１１は、接着、融着、圧着等によって連結されている。なお、本例で示した第１の格子片３１１は、格子片３１１毎に基板３１ａ及びＸ線遮蔽部３１ｂを有する互いに独立した小片とされているが、これら第１の格子片３１１は、１枚の基板上に区画された複数の領域のそれぞれに順次、露光及びエッチング等を施すことによって形成されていてもよい。隣り合う第１の格子片３１１，３１１の間には、接着、融着、圧着等による格子片の継ぎ目である境界部３１５が、平面視で帯状に形成されている。
【００７８】
隣り合う第２の格子片３２１，３２１も、第１の格子片３１１，３１１と同様に接着、融着、圧着等によって連結されている。第２の格子片３２１もまた、１枚の基板上に区画された複数の領域のそれぞれに順次、露光及びエッチング等を施すことによって形成されていてもよい。隣り合う第２の格子片３１２，３１２のそれぞれの間にも、平面視で帯状の境界部３２５が形成されている。
【００７９】
第１、第２の格子片３１１，３２１のそれぞれの境界部３１５，３２５は、Ｘ線遮蔽材料を用いてＸ線遮蔽領域とされていても、ガラス及び一般の接着剤のようにＸ線透過領域とされていても、あるいはＸ線遮蔽部分とＸ線透過部分とが混在する領域とされていてもよい。本例の境界部３１５，３２５はそれぞれ帯状の領域として把握されるが、格子片の境界部が帯状であるとは限らない。例えば、１枚の基板上に区画された複数の領域に対する分割露光、分割エッチングによって複数の格子片が配列されていたり、接着によって複数の格子片が連結されている場合には、境界部は帯状に形成されうるが、融着、圧着などによって格子片が連結されている場合には、境界部が帯状ではなく、間断した線状などのランダムな形状とされる場合がある。
【００８０】
これら境界部３１５，３２５の存在によって、第１の格子３１及び第２の格子３２のそれぞれの格子面内（本例ではｘｙ面内）において、Ｘ線遮蔽部３１ｂ，３２ｂのそれぞれの格子パターンの並びに対して不均一なムラが形成される。このような境界部３１５，３２５はそれぞれ、格子パターンが均一に形成された領域において、第１、第２の格子片３１１，３２１のそれぞれの寸法に応じた一定の配列ピッチで周期性を持つ。すなわち、第１、第２の格子３１，３２はそれぞれ、複数の格子片が配列されて構成されていることにより、Ｘ線遮蔽部３１ｂ，３２ｂのピッチｐ１，ｐ２の周期性に加え、第１、第２格子片３１１，３２１の周期性を持つ。
【００８１】
このため、ＦＰＤ３０により検出されるモアレの発生要素には、格子片の配列ピッチが加わる。すなわち、ＦＰＤ３０の画素が配列された検出面には、第１の格子３１の自己像であるＧ１像の格子ピッチｐ１’と、第２の格子３２の格子ピッチｐ２’と、第１、第２の格子片３１１，３２１のそれぞれの配列ピッチと、ＦＰＤ３０の画素４０のｘ方向における配列ピッチ（画素ピッチ）との相関により重畳的にモアレが生じる。
【００８２】
このときＦＰＤ３０の検出面における第１、第２の格子片３１１，３２１のそれぞれの配列ピッチは、Ｘ線が平行ビームである場合には、第１、第２の格子片３１，３２のそれぞれの実際の配列ピッチＰＢ１、ＰＢ２であるが、本例におけるＸ線は焦点１８ｂからの距離に比例して照射範囲が拡大されるコーンビームであるため、焦点１８ｂから各格子までの距離と、焦点１８ｂとＦＰＤ３０までの距離との比である拡大率を実際の配列ピッチＰＢ１、ＰＢ２にそれぞれ乗じて補正した配列ピッチＰＣ１，ＰＣ２が、ＦＰＤ３０の位置における第１、第２の格子片３１１，３２１のそれぞれの配列ピッチとなる。配列ピッチＰＢ１の補正に用いる拡大率は、図５を参照すると、Ｌ／Ｌ１であり、配列ピッチＰＢ２の補正に用いる拡大率は、図５を参照すると、Ｌ／（Ｌ１＋Ｌ２）である。
【００８３】
ところで、ＦＰＤ３０により検出される画像において、第１、第２の格子片３１，３２のそれぞれの境界部３１５，３２５に相当する部分では、Ｇ１像と第２の格子３２との相関によるモアレの縞状パターンが得られない。これらの境界部分の画像データを隣接する部分の画像データに基づいて補完することはできるが、補完する画像範囲を必要最低限にする上で、境界部３１５と境界部３２５とがＦＰＤ３０の検出面において重なることが好ましい。このため、上記補正後の配列ピッチＰＣ１，ＰＣ２は互いに等しく決められている。以下では、配列ピッチＰＣ１，ＰＣ２のことを配列ピッチＰＣと総称することがある。
【００８４】
なお、等しく決められた配列ピッチＰＣ１，ＰＣ２には、製造誤差、組立誤差等による数μｍ以下のピッチ差を許容でき、配列ピッチＰＣ１，ＰＣ２は、その差が数μｍ以下の範囲内でほぼ等しい。このような配列ピッチＰＣ１，ＰＣ２の微小な差により、ＦＰＤ３０の検出面には配列ピッチＰＣ１と配列ピッチＰＣ２とが関係するモアレも重畳する。
【００８５】
画素ピッチＰＤと配列ピッチＰＣ１との比に対するモアレ周波数は、解析的に計算することが可能である。図８は、ＦＰＤ３０により検出されるモアレについて解析的に計算されたモアレ周波数の変動特性を示す。図８に示したモアレ周波数は、モアレの基本波の周波数であり、検出器画素によるサンプリング周波数ｆＳの１／２がナイキスト周波数である。
なお、図８の解析では、拡大率で補正された配列ピッチＰＣ１，ＰＣ２を用いている。図８には、第１、第２の格子片３１１，３２１の互いに等しく決められた配列ピッチをＰＣと記した。
【００８６】
図８から、配列ピッチＰＣの値が画素ピッチＰＤの値に近いとき、画素ピッチＰＤと配列ピッチＰＣとの比の微妙な変化に対してモアレ周波数ｆｍが大きく変動し、その比が２以上に大きくなると、モアレ周波数ｆｍの変動は収束に向かうことがわかる。このような配列ピッチＰＣと画素ピッチＰＤとの比の変化は、たとえば振動や温度変化による格子３１，３２とＦＰＤ３０との相対距離や相対回転角度のズレなどによって容易に生じ、位相コントラスト画像の画質を低下させてしまう。
【００８７】
ＦＰＤ３０により検出されるモアレの発生要素には、第１、第２の格子３１，３２のそれぞれの格子ピッチｐ１，ｐ２、第１、第２の格子片３１１，３２１のそれぞれの配列ピッチＰＣ１，ＰＣ２、及び画素ピッチＰＤが含まれる。ここで、数μｍ程度である格子ピッチｐ１，ｐ２と、１００μｍ程度である画素ピッチＰＤとは互いの周期差が大きいため、これら格子ピッチと画素ピッチとの関係で発生するモアレの検出強度は、画像測定に影響を与えない程度に小さい。
【００８８】
一方、格子ピッチｐ１，ｐ２よりも大きい格子片配列ピッチＰＣに関しては、配列ピッチＰＣと画素ピッチＰＤとの関係でモアレが発生し、特に、配列ピッチＰＣと画素ピッチＰＤとが近いときには、強い強度のモアレが検出されうる。更には、図８のように、画素ピッチＰＤと配列ピッチＰＣとの比に対してモアレ周波数ｆｍも大きく変動するものと考えられる。
【００８９】
また更には、図８に示した基本周波数を考慮するだけでは不十分な場合も存在する。すなわち、高周波まで空間周波数応答が高い画像検出器を用いる場合には、検出器の空間周波数帯域内に折り返すモアレの高調波をも考慮する必要がある。このような画像検出器の典型的な例としては、直接変換型のＦＰＤがあげられる。直接変換型ＦＰＤでは、検出器に入射したＸ線を直接電気信号に変換するため、シンチレータ等で一旦光に変換したのちにフォトダイオード等の光電変換素子を用いて電気信号に変換する、いわゆる間接変換型のＦＰＤに比較して、信号検出過程での空間的なボケが少なく、高周波にわたって高い空間周波数応答を呈すことが一般に知られている。
図９は、第一次の基本波から、第４次高調波までのそれぞれのモアレ周波数成分ｆｍの配列ピッチＰＣと画素ピッチＰＤとの比に対する変動特性を示す。より高次のモアレ周波数ｆｍであるほど、画素ピッチＰＤと配列ピッチＰＣとの比に対する変動が大きくなる。また、より高次であるほど、モアレ周波数ｆｍの変動が収束に向かう際の画素ピッチＰＤと配列ピッチＰＣとの比が大きくなる。第４次高調波のモアレ周波数は、配列ピッチＰＣが画素ピッチＰＤの６倍以上になると収束に向かう。
【００９０】
ところで、強度変調信号を検出するためには、上述の式（１０）に基づいて、ＦＰＤ３０の検出面におけるモアレ周波数と画素周期の周波数とが一致せず、かつ互いに整数倍の関係にもないことが要請される。更に、強度変調信号の位相のズレを高感度に検出するためには、強度変調信号を高いコントラストで得る必要があり、このため、画素周期の周波数よりもモアレ周波数を低くする必要がある。このような条件を満たすべく、モアレ周波数には好適な値の範囲がある。
また、後述するように、位相コントラスト画像は、被写体を置かないプレ撮影時と被写体を置いた本撮影時とのモアレ画像から形成された強度変調信号の位相のズレ量から求められるため、モアレ周波数が変動することによってアーチファクトが発生してしまう。すなわち、画像測定に好適な画質の位相コントラスト画像を安定的に得るためには、モアレの周波数が安定していることが重要である。
【００９１】
図８、図９に示したように、配列ピッチＰＣと画素ピッチＰＤとの関係で生じるモアレは、ＦＰＤ３０で検出されるモアレの周波数を大きく変動させる可能性がある。たとえば振動や温度変化等によって画素ピッチと配列ピッチとの比が変わると、モアレ周波数が好適な範囲から外れて式（１０）を満たさず、強度変調信号の検出ができなくなったり、強度変調信号における位相のズレの検出感度が低くなるおそれがある。また、第１、第２の格子３１，３２の相対位置が光軸方向にズレて拡大率が変化することにより、画素ピッチと配列ピッチとの比が変わると、その比に応じた空間周波数のモアレが生じるが、このようにＸ線焦点１８ｂと各格子３１，３２との相対的なズレ量に応じて空間周波数が変動するモアレを補正することは非常に困難である。
【００９２】
図８、図９に示したモアレ周波数の変動特性から、画素ピッチＰＤに対して配列ピッチＰＣを大きくすることにより、モアレ周波数を安定させることが可能となる。
図１０は、配列ピッチＰＣと画素ピッチＰＤとの寸法関係を模式的に示す。本例では、ＦＰＤ３０の解像度、及び図９の第４次高調波までのモアレ周波数変動特性などを考慮して、配列ピッチＰＣをｘ方向における画素ピッチＰＤの６倍以上としている。配列ピッチＰＣは、ｘ方向における画素ピッチＰＤの好ましくは８倍以上、より好ましくは１０倍以上、更に好ましくは１００倍以上とされる。ただし、配列ピッチＰＣはＦＰＤ３０の空間周波数に対する応答性能、典型的にはＭＴＦ（Ｍｏｄｕｌａｔｉｏｎ  Ｔｒａｎｓｆｅｒ  Ｆｕｎｃｔｉｏｎ）等によって決められ、画素ピッチＰＤの少なくとも２倍以上であればよい。
なお、図１０には、第１、第２の格子片３１１，３２１のそれぞれの配列ピッチが等しい場合の配列ピッチＰＣと、画素ピッチＰＤとの関係を示したが、第１、第２の格子片３１１，３２１のそれぞれの配列ピッチが異なる場合、それらの配列ピッチがそれぞれ、画素ピッチＰＤの２倍以上であればよい。
【００９３】
一方、配列ピッチには、Ｘ線のケラレを考慮して上限を設定することができる。図５を参照して式（７）及び式（８）について述べたが、ここでも同様に、図１１に示す幾何学的関係から、以下の式（１２）及び式（１３）を規定する。
光軸Ａに沿った方向での第１の格子３１の寸法をｈ１、隣り合うＸ線遮蔽部３１ｂ，３１ｂの間隔、すなわち開口幅をｄ１、第１の格子３１の実際の配列ピッチをＰＢ１、第１の格子３１とＸ線焦点１８ｂとの間の距離をＲ１とすると、式（１２）を満たす必要がある。
また、光軸Ａに沿った方向での第２の格子３２の寸法をｈ２、隣り合うＸ線遮蔽部３２ｂ，３２ｂの間隔、すなわち開口幅をｄ２、第２の格子３２の実際の配列ピッチをＰＢ２、第２の格子３２とＸ線焦点１８ｂとの間の距離をＲ２とすると、式（１３）を満たす必要がある。
【００９４】
【数１２】
2014030439.tif 000014
【００９５】
【数１３】
2014030439.tif 000015
【００９６】
上述のように配列ピッチを決めることにより、配列ピッチと画素ピッチとの比の変動に対して、モアレ周波数を安定させることができる。
ここで、第１、第２格子片３１１，３２１のそれぞれの配列ピッチＰＣ１，ＰＣ２は、画素ピッチＰＤの２倍以上となるように、画素ピッチＰＤから離れた数値であればよいから、配列ピッチの厳密な寸法管理は不要である。したがって、第１、第２格子片３１１，３２１をそれぞれ配列して構成された第１、第２の格子３１，３２を容易に製造できる。
【００９７】
次に、モアレ縞の解析方法について説明する。
【００９８】
図１２は、被写体Ｈのｘ方向に関する位相シフト分布Φ（ｘ）に応じて屈折される１つのＸ線を示す。
【００９９】
符号５５は、被写体Ｈが存在しない場合に直進するＸ線の経路を示しており、この経路５５を進むＸ線は、第１及び第２の吸収型格子３１，３２を通過してＦＰＤ３０に入射する。符号５６は、被写体Ｈが存在する場合に、被写体Ｈにより屈折されて偏向したＸ線の経路を示している。この経路５６を進むＸ線は、第１の吸収型格子３１を通過した後、第２の吸収型格子３２より遮蔽される。
【０１００】
被写体Ｈの位相シフト分布Φ（ｘ）は、被写体Ｈの屈折率分布をｎ（ｘ，ｚ）、ｚをＸ線の進む方向として、次式（１４）で表される。
【０１０１】
【数１４】
2014030439.tif 000016
【０１０２】
第１の吸収型格子３１から第２の吸収型格子３２の位置に投射されたＧ１像は、被写体ＨでのＸ線の屈折により、その屈折角φに応じた量だけｘ方向に変位することになる。この変位量Δｘは、Ｘ線の屈折角φが微小であることに基づいて、近似的に次式（１５）で表される。
【０１０３】
【数１５】
2014030439.tif 000017
【０１０４】
ここで、屈折角φは、Ｘ線波長λと被写体Ｈの位相シフト分布Φ（ｘ）を用いて、式（１６）で表される。
【０１０５】
【数１６】
2014030439.tif 000018
【０１０６】
このように、被写体ＨでのＸ線の屈折によるＧ１像の変位量Δｘは、被写体Ｈの位相シフト分布Φ（ｘ）に関連している。そして、この変位量Δｘは、ＦＰＤ３０の各画素４０から出力される信号の位相ズレ量ψ（被写体Ｈがある場合とない場合とでの各画素４０の信号の位相のズレ量）に、次式（１７）のように関連している。
【０１０７】
【数１７】
2014030439.tif 000019
【０１０８】
したがって、各画素４０の信号の位相ズレ量ψを求めることにより、式（１７）から屈折角φが求まり、式（１６）を用いて位相シフト分布Φ（ｘ）の微分量が求まるから、これをｘについて積分することにより、被写体Ｈの位相シフト分布Φ（ｘ）、すなわち被写体Ｈの位相コントラスト画像を生成することができる。本Ｘ線撮影システム１０では、上記位相ズレ量ψを、下記に示す縞走査法を用いて算出する。
【０１０９】
縞走査法では、第１及び第２の吸収型格子３１，３２の一方を他方に対して相対的にｘ方向にステップ的に並進移動させながら撮影を行う（すなわち、両者の格子周期の位相を変化させながら撮影を行う）。本Ｘ線撮影システム１０では、前述の走査手段３３により第２の吸収型格子３２を移動させているが、第１の吸収型格子３１を移動させてもよい。第２の吸収型格子３２の移動に伴って、モアレ縞が移動し、並進距離（ｘ方向への移動量）が、第２の吸収型格子３２の格子周期の１周期（格子ピッチｐ２）に達すると（すなわち、位相変化が２πに達すると）、モアレ縞は元の位置に戻る。このようなモアレ縞の変化を、格子ピッチｐ２を整数分の１ずつ第２の吸収型格子３２を移動させながら、ＦＰＤ３０で縞画像を撮影し、撮影した複数の縞画像から各画素４０の信号を取得し、演算処理部２２で演算処理することにより、各画素４０の信号の位相ズレ量ψを得る。
【０１１０】
図１３は、格子ピッチｐ２をＭ（２以上の整数）個に分割した走査ピッチ（ｐ２／Ｍ）ずつ第２の吸収型格子３２を移動させる様子を模式的に示す。
【０１１１】
走査手段３３は、ｋ＝０，１，２，・・・，Ｍ−１のＭ個の各走査位置に、第２の吸収型格子３２を順に並進移動させる。なお、同図では、第２の吸収型格子３２の初期位置を、被写体Ｈが存在しない場合における第２の吸収型格子３２の位置でのＧ１像の暗部が、Ｘ線遮蔽部３２ｂにほぼ一致する位置（ｋ＝０）としているが、この初期位置は、ｋ＝０，１，２，・・・，Ｍ−１のうちいずれの位置としてもよい。
【０１１２】
まず、ｋ＝０の位置では、主として、被写体Ｈにより屈折されなかったＸ線が第２の吸収型格子３２を通過する。次に、ｋ＝１，２，・・・と順に第２の吸収型格子３２を移動させていくと、第２の吸収型格子３２を通過するＸ線は、被写体Ｈにより屈折されなかったＸ線の成分が減少する一方で、被写体Ｈにより屈折されたＸ線の成分が増加する。特に、ｋ＝Ｍ／２では、主として、被写体Ｈにより屈折されたＸ線のみが第２の吸収型格子３２を通過する。ｋ＝Ｍ／２を超えると、逆に、第２の吸収型格子３２を通過するＸ線は、被写体Ｈにより屈折されたＸ線の成分が減少する一方で、被写体Ｈにより屈折されなかったＸ線の成分が増加する。
【０１１３】
ｋ＝０，１，２，・・・，Ｍ−１の各位置で、ＦＰＤ３０により撮影を行うと、各画素４０について、Ｍ個の信号値が得られる。以下に、このＭ個の信号値から各画素４０の信号の位相ズレ量ψを算出する方法を説明する。第２の吸収型格子３２の位置ｋにおける各画素４０の信号値をＩｋ（ｘ）と標記すると、Ｉｋ（ｘ）は、次式（１８）で表される。
【０１１４】
【数１８】
2014030439.tif 000020
【０１１５】
ここで、ｘは、画素４０のｘ方向に関する座標であり、Ａ０は入射Ｘ線の強度であり、Ａｎは画素４０の信号値のコントラストに対応する値である（ここで、ｎは正の整数である）。また、φ（ｘ）は、上記屈折角φを画素４０の座標ｘの関数として表したものである。
【０１１６】
次いで、次式（１９）の関係式を用いると、上記屈折角φ（ｘ）は、次式（２０）のように表される。
【０１１７】
【数１９】
2014030439.tif 000021
【０１１８】
【数２０】
2014030439.tif 000022
【０１１９】
ここで、ａｒｇ［  ］は、偏角の抽出を意味しており、各画素４０の信号の位相ズレ量ψに対応する。したがって、各画素４０で得られたＭ個の信号値から、式（２０）に基づいて各画素４０の信号の位相ズレ量ψを算出することにより、屈折角φ（ｘ）が求められる。
【０１２０】
図１４は、縞走査に伴って変化する放射線画像検出器の一つの画素の信号を示す。
【０１２１】
各画素４０で得られたＭ個の信号値は、第２の吸収型格子３２の位置ｋに対して、格子ピッチｐ２の周期で周期的に変化する。図１４中の破線は、被写体Ｈが存在しない場合の信号値の変化を示しており、図１４中の実線は、被写体Ｈが存在する場合の信号値の変化を示している。この両者の波形の位相差が各画素４０の信号の位相ズレ量ψに対応する。
【０１２２】
そして、屈折角φ（ｘ）は、上記式（１６）で示したように微分位相値に対応する値であるため、屈折角φ（ｘ）をｘ軸に沿って積分することにより、位相シフト分布Φ（ｘ）が得られる。
【０１２３】
以上の演算は、演算処理部２２により行われ、演算処理部２２は、位相コントラスト画像を記憶部２３に記憶させる。
【０１２４】
上記の縞走査、及び位相コントラスト画像の生成処理は、入力装置２１から操作者により撮影指示がなされた後、制御装置２０の制御に基づいて各部が連係動作し、自動的に行われ、最終的に被写体Ｈの位相コントラスト画像がモニタ２４に表示される。
【０１２５】
また、第１の吸収型格子３１で殆どのＸ線を回折させずに、第２の吸収型格子３２に幾何学的に投影するため、照射Ｘ線には、高い空間的可干渉性は要求されず、Ｘ線源１１として医療分野で用いられている一般的なＸ線源を用いることができる。そして、第１の吸収型格子３１から第２の吸収型格子３２までの距離Ｌ２を任意の値とすることができ、該距離Ｌ２を、タルボ干渉計での最小のタルボ干渉距離より小さく設定することができるため、撮影部１２を小型化（薄型化）することができる。更に、本Ｘ線撮影システムでは、第１の吸収型格子３１からの投影像（Ｇ１像）には、照射Ｘ線のほぼすべての波長成分が寄与し、モアレ縞のコントラストが向上するため、位相コントラスト画像の検出感度を向上させることができる。
【０１２６】
上述のように、モアレ周波数が安定的とされているので、被写体Ｈが存在するときと存在しないときとのモアレの周波数が変動することによるアーチファクトが生じることを防止できる。以上から、視野サイズに対して小さい複数の格子片３１１，３２１をそれぞれ配列して第１、第２格子３１，３２を構成することにより、第１、第２の格子３１，３２の安定した製造を可能とするとともに、格子片３１１，３２１の配列に起因して生じ得るモアレ周波数の変動を配列ピッチと画素ピッチとの比を規定することで安定化したので、安定した画質の位相コントラスト画像を得ることが可能となる。
【０１２７】
なお、本Ｘ線撮影システム１０は、第１の格子の投影像に対して縞走査を行って屈折角φを演算するものであって、そのため、第１及び第２の格子がいずれも吸収型格子であるものとして説明したが、本発明はこれに限定されるものではない。上述のとおり、タルボ干渉像に対して縞走査を行って屈折角φを演算する場合（すなわち、第1、第２の格子の間の距離がタルボ距離に設定される干渉法を用いる場合）にも、本発明は有用である。よって、第１の格子は、吸収型格子に限らず位相型格子であってもよい。
【０１２８】
第１の格子のＸ線像と第２の格子との重ね合わせによって形成されるモアレ縞の解析方法は、前述した縞走査法に限られず、例えば「J. Opt. Soc. Am. Vol.72,No.1 (1982) p.156」により知られているフーリエ変換／フーリエ逆変換を用いた方法など、モアレ縞を利用した種々の方法も適用可能である。
ここで、フーリエ変換法では、縞走査法のように第１、第２の格子によるモアレから走査によって強度変調信号を取得することなく、モアレを直接フーリエ変換で解析する。このようなフーリエ変換法においても、モアレ周波数の安定が重要であって、上述と同様の効果が得られる。
【０１２９】
また、本Ｘ線撮影システム１０は、位相シフト分布Φを画像としたものを位相コントラスト画像として記憶ないし表示するものとして説明したが、上記のとおり、位相シフト分布Φは、屈折角φより求まる位相シフト分布Φの微分量を積分したものであって、屈折角φ及び位相シフト分布Φの微分量もまた被写体によるＸ線の位相変化に関連している。よって、屈折角φを画像としたもの、また、位相シフトΦの微分量を画像としたものも位相コントラスト画像に含まれる。
【０１３０】
また、被写体がない状態で撮影（プレ撮影）して取得される画像群から位相微分像（位相シフト分布Φの微分量）を作成するようにしてもよい。この位相微分像は、検出系の位相ムラを反映している（モアレによる位相ズレ、グリッドの不均一性、線量検出器の屈折等が含まれている）。そして、被写体がある状態で撮影（メイン撮影）して取得される画像群から位相微分像を作成し、これからプレ撮影で得られた位相微分像を引くことで、測定系の位相ムラを補正した位相微分像を得ることが出来る。
【０１３１】
図１５は、格子片が第１方向としてのｘ方向に加えて、第２の方向としてのｙ方向にも配列された構成例を模式的に示す。第１、第２の格子がいずれも、図１５のようにｘ方向及びｙ方向に二次元配列された格子片１３１を有して構成されていることが好ましい。格子片１３１は、ｘ方向には境界部３１ｃｘを介して配列され、ｙ方向には境界部３１ｃｙを介して配列されている。このように格子片がｙ方向にも配列されていることで、格子片のｙ方向の寸法が短いため、格子の製造に要求される面内均一性の点で、格子の製造が容易となる。複数の格子片で第１、第２の格子をそれぞれ構成する際には、図１５のように格子片を２次元配列して用いることが好ましい。
【０１３２】
なお、上記各例では、第1、第２の格子が共に複数の格子片で構成された例を示したが、第１の格子のみ、あるいは第２の格子のみが複数の格子片により構成されていてもよい。
【０１３３】
図１６は、本発明の実施形態を説明するための放射線撮影システムの他の例を示す。
【０１３４】
図１６に示すマンモグラフィ装置８０は、被検体として乳房ＢのＸ線画像（位相コントラスト画像）を撮影する装置である。マンモグラフィ装置８０は、基台（図示せず）に対して旋回可能に連結されたアーム部材８１の一端に配設されたＸ線源収納部８２と、アーム部材８１の他端に配設された撮影台８３と、撮影台８３に対して上下方向に移動可能に構成された圧迫板８４とを備える。
【０１３５】
Ｘ線源収納部８２にはＸ線源１１が収納されており、撮影台８３には撮影部１２が収納されている。Ｘ線源１１と撮影部１２とは、互いに対向するように配置されている。圧迫板８４は、移動機構（図示せず）により移動し、撮影台８３との間で乳房Ｂを挟み込んで圧迫する。この圧迫状態で、上記したＸ線撮影が行われる。
【０１３６】
なお、Ｘ線源１１及び撮影部１２は、前述したＸ線撮影システム１０のものと同様の構成であるため、各構成要素には、前述したＸ線撮影システム１０と同一の符号を付している。その他の構成及び作用については、前述したＸ線撮影システム１０と同様であるため説明は省略する。
【０１３７】
図１７は、図１６の放射線撮影システムの変形例を示す。
【０１３８】
図１７に示すマンモグラフィ装置９０は、第１の吸収型格子３１がＸ線源１１と圧迫板８４との間に配設されている点が前述したマンモグラフィ装置８０と異なる。第１の吸収型格子３１は、アーム部材８１に接続された格子収納部９１に収納されている。撮影部９２は、ＦＰＤ３０、第２の吸収型格子３２、走査機構３３により構成されている。
【０１３９】
このように、被検体（乳房）Ｂが第１の吸収型格子３１と第２の吸収型格子３２との間に位置する場合であっても、第２の吸収型格子３２の位置に形成される第１の吸収型格子３１の投影像（Ｇ１像）が被検体Ｂにより変形する。したがって、この場合でも、被検体Ｂに起因して変調されたモアレ縞をＦＰＤ３０により検出することができる。すなわち、本マンモグラフィ装置９０でも前述した原理で被検体Ｂの位相コントラスト画像を得ることができる。
【０１４０】
そして、本マンモグラフィ装置９０では、第１の吸収型格子３１による遮蔽により、線量がほぼ半減したＸ線が被検体Ｂに照射されることになるため、被検体Ｂの被曝量を、前述したマンモグラフィ装置８０の場合の約半分に低減することができる。なお、本マンモグラフィ装置９０のように、第１の吸収型格子３１と第２の吸収型格子３２との間に被検体を配置することは、前述したＸ線撮影システム１０にも適用することが可能である。
【０１４１】
図１８は、本発明の実施形態を説明するための放射線撮影システムの他の例を示す。
【０１４２】
図１８に示すＸ線撮影システム１００は、Ｘ線源１０１のコリメータユニット１０２に、マルチスリット１０３を配設した点が、上記第１実施形態のＸ線撮影システム１０と異なる。その他の構成については、前述したＸ線撮影システム１０と同一であるので説明は省略する。
【０１４３】
前述したＸ線撮影システム１０では、Ｘ線源１１からＦＰＤ３０までの距離を、一般的な病院の撮影室で設定されるような距離（１ｍ〜２ｍ）とした場合に、Ｘ線焦点１８ｂの焦点サイズ（一般的に０．１ｍｍ〜１ｍｍ程度）によるＧ１像のボケが影響し、位相コントラスト画像の画質の低下をもたらす恐れがある。そこで、Ｘ線焦点１８ｂの直後にピンホールを設置して実効的に焦点サイズを小さくすることが考えられるが、実効的な焦点サイズを縮小するためにピンホールの開口面積を小さくすると、Ｘ線強度が低下してしまう。本Ｘ線撮影システム１００においては、この課題を解決するために、Ｘ線焦点１８ｂの直後にマルチスリット１０３を配置する。
【０１４４】
マルチスリット１０３は、撮影部１２に設けられた第１及び第２の吸収型格子３１，３２と同様な構成の吸収型格子（第３の吸収型格子）であり、一方向（ｙ方向）に延伸した複数のＸ線遮蔽部が、第１及び第２の吸収型格子３１，３２のＸ線遮蔽部３１ｂ，３２ｂと同一方向（ｘ方向）に周期的に配列されている。このマルチスリット１０３は、Ｘ線焦点１８ｂから放射される放射線を部分的に遮蔽することにより、ｘ方向に関する実効的な焦点サイズを縮小して、ｘ方向に多数の点光源（分散光源）を形成することを目的としている。
【０１４５】
このマルチスリット１０３の格子ピッチｐ３は、マルチスリット１０３から第１の吸収型格子３１までの距離をＬ３として、次式（２１）を満たすように設定する必要がある。
【０１４６】
【数２１】
2014030439.tif 000023
【０１４７】
上記式（２１）は、マルチスリット１０３により分散形成された各点光源から射出されたＸ線の第１の吸収型格子３１による投影像（Ｇ１像）が、第２の吸収型格子３２の位置で一致する（重なり合う）ための幾何学的な条件である。
【０１４８】
また、実質的にマルチスリット１０３の位置がＸ線焦点位置となるため、第２の吸収型格子３２の格子ピッチｐ２及び間隔ｄ２は、次式（２２）及び（２３）の関係を満たすように決定される。
【０１４９】
【数２２】
2014030439.tif 000024
【０１５０】
【数２３】
2014030439.tif 000025
【０１５１】
また、本例では、ＦＰＤ３０の検出面におけるｘ方向の有効視野の長さＶを確保するには、マルチスリット１０３からＦＰＤ３０の検出面までの距離をＬ’とすると、第１及び第２の吸収型格子３１，３２のＸ線遮蔽部３１ｂ，３２ｂの厚みｈ１，ｈ２は、次式（２４）及び（２５）を満たすように決定される。
【０１５２】
【数２４】
2014030439.tif 000026
【０１５３】
【数２５】
2014030439.tif 000027
【０１５４】
上記式（２１）は、マルチスリット１０３により分散形成された各点光源から射出されたＸ線の第１の吸収型格子３１による投影像（Ｇ１像）が、第２の吸収型格子３２の位置で一致する（重なり合う）ための幾何学的な条件である。このように、本例では、マルチスリット１０３により形成される複数の点光源に基づくＧ１像が重ね合わせられることにより、Ｘ線強度を低下させずに、位相コントラスト画像の画質を向上させることができる。
なお、以上説明したマルチスリット１０３は、上記いずれの例においても適用可能である。
【０１５５】
図１９は、本発明の実施形態を説明するための放射線撮影システムの他の例を示す。
【０１５６】
また、上記例では、前述したように、位相コントラスト画像は、第１及び第２の吸収型格子３１，３２のＸ線遮蔽部３１ｂ，３２ｂの周期配列方向（ｘ方向）のＸ線の屈折成分に基づくものとなり、Ｘ線遮蔽部３１ｂ，３２ｂの延伸方向（ｙ方向）の屈折成分は反映されない。すなわち、ｘｙ面である格子面を介して、ｘ方向に交差する方向（直交する場合はｙ方向）に沿った部位輪郭がｘ方向の屈折成分に基づく位相コントラスト画像として描出されるのであり、ｘ方向に交差せずにｘ方向に沿っている部位輪郭はｘ方向の位相コントラスト画像として描出されない。すなわち、被写体Ｈとする部位の形状と向きによっては描出できない部位が存在する。例えば、膝等の関節軟骨の荷重面の方向を格子の面内方向であるｘｙ方向のうちｙ方向に合わせると、ｙ方向にほぼ沿った荷重面（ｙｚ面）近傍の部位輪郭は十分に描出されるが、荷重面に交差しｘ方向にほぼ沿って延びる軟骨周辺組織（腱や靭帯など）については描出が不十分になると考えられる。被写体Ｈを動かすことにより、描出が不十分な部位を再度撮影することは可能ではあるが、被写体Ｈ及び術者の負担が増えることに加え、再度撮影した画像との位置再現性を担保することが難しいといった問題がある。
【０１５７】
そこで、他の例として、図１９に示すように、第１及び第２の吸収型格子３１，３２の格子面の中心に直交する仮想線（Ｘ線の光軸Ａ）を中心として、第１及び第２の吸収型格子３１，３２を、図１９（ａ）に示す第１の向き（Ｘ線遮蔽部３１ｂ，３２ｂの延伸方向がｙ方向に沿う方向）から一体的に任意の角度で回転させて、図１９（ｂ）に示す第２の向き（Ｘ線遮蔽部３１ｂ，３２ｂの延伸方向がｘ方向に沿う方向）とする回転機構１０５を設け、第１の向きと第２の向きとのそれぞれにおいて位相コントラスト画像を生成するように構成することも好適である。こうすることで、上述した位置再現性の問題をなくせる。なお、図１９（ａ）には、Ｘ線遮蔽部３１ｂ，３２ｂの延伸方向がｙ方向に沿う方向となるような第１、第２格子３１，３２の第１の向きを示し、図１９（ｂ）には、図１９（ａ）の状態から９０度回転させ、Ｘ線遮蔽部３１ｂ，３２ｂの延伸方向がｘ方向に沿う方向となるような第１、第２格子３１，３２の第２の向きを示したが、第１、第２の格子の回転角度は任意である。また、第１の向き及び第２の向きに加えて、第３の向き、第４の向きなど、２回以上の回転操作を行って、それぞれの向きでの位相コントラスト画像を生成するように構成してもよい。
【０１５８】
なお、図示の例では、第１及び第２の吸収型格子３１，３２を９０°回転させ、第１の向きと第２の向きとが直交しているが、第１の向きと第２の向きとが交差する限りにおいて第１及び第２の吸収型格子３１，３２の回転角度は９０°に限られるものではない。また、この格子回転機構１０５は、ＦＰＤ３０とは別に第１及び第２の吸収型格子３１，３２のみを一体的に回転させるものであってもよいし、第１及び第２の吸収型格子３１，３２とともにＦＰＤ３０を一体的に回転させるものであってもよい。更に、マルチスリット１０３を備える場合は、第１及び第２の吸収型格子３１,３２と回転が一致するように、マルチスリット１０３及びコリメータ１０９、若しくはこれらが一体で形成された放射線源を回転させる。更に、格子回転機構１０５を用いた第１及び第２の向きにおける位相コントラスト画像の生成は、前述したいずれのＸ線撮影システムにおいても適用可能である。
【０１５９】
図２０は、Ｘ線遮蔽部がｘ方向及びｙ方向の二方向に配列された二次元格子の例を示す。各格子片２３１は、ｘ方向に配列されたＸ線遮蔽部３１ｂｘと、ｙ方向に配列されたＸ線遮蔽部３１ｂｙとを有する。格子片２３１は、ｘ方向及びｙ方向の二方向に配列され、ｘ方向における格子片２３１の配列ピッチは、ｘ方向における画素ピッチの２倍以上であり、かつｙ方向における格子片２３１の配列ピッチは、ｙ方向における画素ピッチの２倍以上となっている。第１、第２の格子がいずれも、図２０のような二次元格子であるとき、第１、第２の格子のｘ方向の相対移動時のデータと、第１、第２の格子のｙ方向の相対移動時のデータとが得られる。すなわち、格子をｚ軸を中心に回転させたり、被写体Ｈの向きを変えたりしなくても、x-y面内でのＸ線の屈折方向として不感となる方向がなく、方向特異的に画像欠損が生じない診断画像の提供が可能となる。
【０１６０】
図２１は、本発明の実施形態を説明するための放射線撮影システムの他の例に関し、その第１及び第２の格子の構成を示す。
【０１６１】
前述したＸ線撮影システム１０においては、第１及び第２の吸収型格子３１，３２は、Ｘ線遮蔽部３１ｂ，３２ｂの周期配列方向が直線状（すなわち、格子面が平面状）となるように構成されているが、これに代えて、図２１に示すように、格子面を略凹曲面状に構成した第１及び第２の吸収型格子１１０，１１１を用いることもできる。
【０１６２】
第１の吸収型格子１１０は、複数の第１の格子片１１０Ａを配列して構成されており、第１の格子片１１０Ａの各々は、Ｘ線透過性でかつ平面状の基板１１０ａの表面に、ｙ方向に直線状に延伸する複数のＸ線遮蔽部１１０ｂが所定のピッチｐ１で周期的に配列されている。そして、第１の吸収型格子１１０は、Ｘ線焦点１８ｂを通りＸ線遮蔽部１１０ｂの延伸方向（ｙ方向）に延びる仮想線を中心軸とする円筒面の周方向に複数の第１の格子片１１０Ａが配列され、周方向に隣り合う第１の格子片１１０Ａ同士が配列されることによって、その格子面が略凹曲面状に構成されている。隣り合う第１の格子片１１０Ａ同士の間には、境界部１１０Ｃが形成されている。
【０１６３】
同様に、第２の吸収型格子１１１は、複数の第２の格子片１１１Ａを配列して構成されており、第２の格子片１１１Ａの各々は、Ｘ線透過性でかつ平面状の基板１１１ａの表面に、ｙ方向に直線状に延伸する複数のＸ線遮蔽部１１１ｂが所定のピッチｐ２で周期的に配列されている。そして、第２の吸収型格子１１１は、Ｘ線焦点１８ｂを通りＸ線遮蔽部１１１ｂの延伸方向（ｙ方向）に延びる仮想線を中心軸とする円筒面の周方向に複数の第２の格子片１１１Ａが配列され、周方向に隣り合う第１の格子片１１１Ａ同士が配列されることによって、その格子面が略凹曲面状に構成されている。隣り合う第２の格子片１１１Ａ同士の間には、境界部１１１Ｃが形成されている。
【０１６４】
Ｘ線焦点１８ｂから第１の吸収型格子１１０までの距離をＬ１、第１の吸収型格子１１０から第２の吸収型格子１１１までの距離をＬ２とした場合に、格子ピッチｐ２及び間隔ｄ２は、上記式（１）の関係を満たすように決定される。第１の吸収型格子１１０のスリット部の開口幅ｄ１と第２の吸収型格子１１１のスリット部の開口幅ｄ２は、上記式（２）の関係を満たすように決定される。
【０１６５】
このように、第１及び第２の吸収型格子１１０，１１１を、それぞれ複数の格子片を配列して構成することで、それらの格子面を容易に略凹曲面状に構成することができる。そして、第１及び第２の吸収型格子１１０，１１１の格子面を略凹曲面状とすることにより、Ｘ線焦点１８ｂから照射されるＸ線は、被検体Ｈが存在しない場合、格子面の各部に略垂直に入射することになるため、Ｘ線遮蔽部１１０ｂの厚みｈ１とＸ線遮蔽部１１１ｂの厚みｈ２との上限の制約が緩和され、上記式（７）及び（８）を考慮する必要がない。
【０１６６】
また、第１及び第２の吸収型格子１１０，１１１の格子面を凹曲面状とする場合に、第１及び第２の吸収型格子１１０，１１１のいずれか一方を、Ｘ線焦点１８ｂを中心として、格子面に沿った方向に移動させることにより、前述の縞走査を行う。更に、第１及び第２の吸収型格子１１０，１１１の格子面を凹曲面状とする場合に、ＦＰＤ１１２の検出面もまた、Ｘ線焦点１８ｂを通りｙ方向に延びる直線を中心軸とする円筒面に沿った凹曲面状に形成することが好ましい。
【０１６７】
第１及び第２の吸収型格子１１０，１１１及びＦＰＤ１１２は、前述したいずれのＸ線撮影システムにおいても適用可能である。更に、マルチスリット１０３を、第１及び第２の吸収型格子１１０，１１１と同様な形状とすることも好適である。
【０１６８】
図２２は、本発明の実施形態を説明するための放射線撮影システムの他の例に関し、その放射線画像検出器の構成を示す。
【０１６９】
前述したＸ線撮影システム１０では、第２の吸収型格子３２がＦＰＤ３０とは独立して設けられているが、第２の吸収型格子３２あるいはそれと同等の構成をＸ線画像検出器自体が有していてもよい。具体的な実施態様としては、特開２００９−１３３８２３号公報に開示された構成のＸ線画像検出器を用いることにより、第２の吸収型格子を排することができる。このＸ線画像検出器は、Ｘ線を電荷に変換する変換層と、変換層において変換された電荷を収集する電荷収集電極とを備えた直接変換型のＸ線画像検出器であって、各画素１２０の電荷収集電極１２１が、一定の周期で配列された線状電極を互いに電気的に接続してなる複数の線状電極群１２２〜１２７を、互いに位相が異なるように配置することにより構成されている。
【０１７０】
画素１２０は、ｘ方向及びｙ方向に沿って一定のピッチで２次元配列されており、各画素１２０には、Ｘ線を電荷に変換する変換層によって変換された電荷を収集するための電荷収集電極１２１が形成されている。電荷収集電極１２１は、第１〜第６の線状電極群１２２〜１２７から構成されており、各線状電極群の線状電極の配列周期の位相がπ／３ずつずれている。具体的には、第１の線状電極群１２２の位相を０とすると、第２の線状電極群１２３の位相はπ／３、第３の線状電極群１２４の位相は２π／３、第４の線状電極群１２５の位相はπ、第５の線状電極群１２６の位相は４π／３、第６の線状電極群１２７の位相は５π／３である。
【０１７１】
第１〜第６の線状電極群１２２〜１２７はそれぞれ、ｙ方向に延伸した線状電極をｘ方向に所定のピッチｐ２で周期的に配列したものである。この線状電極の配列ピッチｐ２の実質的なピッチｐ２’（製造後の実質的なピッチ）と、電荷収集電極１２１の位置（Ｘ線画像検出器の位置）におけるＧ１像のパターン周期ｐ１’と、ｘ方向に関する画素１２０の配列ピッチＰとの関係は、前述したＸ線撮影システム１０の第２の吸収型格子３２と同様に、式（９）で表されるモアレ縞の周期Ｔに基づき、式（１０）を満たす必要があり、更には、式（１１）を満たすことが好ましい。
【０１７２】
更に、各画素１２０には、電荷収集電極１２１により収集された電荷を読み出すためのスイッチ群１２８が設けられている。スイッチ群１２８は、第１〜第６の線状電極群１２１〜１２６のそれぞれに設けられたＴＦＴスイッチからなる。第１〜第６の線状電極群１２１〜１２６により収集された電荷を、スイッチ群１２８を制御してそれぞれ個別に読み出すことによって、一度の撮影により、互いに位相の異なる６種類の縞画像を取得することができ、この６種類の縞画像に基づいて位相コントラスト画像を生成することができる。
【０１７３】
このように構成されたＸ線画像検出器を、例えば前述したＸ線撮影システム１０に適用した場合に、撮影部１２から第２の吸収型格子３２が不要となる。本構成では、第１の格子３１のみが、複数の格子片３１１が配列されて構成されている。本構成では、一度の撮影で複数の位相成分の縞画像を取得することができるため、縞走査のための物理的な走査が不要となり、走査機構３３も排することができる。それにより、コスト削減とともに、撮影部のさらなる薄型化を図ることができる。なお、電荷収集電極の構成には、上記構成に代えて、特開平２００９−１３３８２３号公報に記載のその他の構成を用いることも可能である。
【０１７４】
次に、本発明の例を説明するための他のＸ線撮影システムの構成例について説明する。図２３に本例の放射線位相画像撮影装置の概略構成を示す。
本例のＸ線位相画像撮影装置は、Ｘ線源１１から射出されたＸ線を通過させて第１の周期パターン像を形成する第１の格子１３１と、第１の格子１３１により形成された第１の周期パターン像を強度変調して第２の周期パターン像を形成する第２の格子１３２と、第２の格子１３２により形成された第２の周期パターン像を検出するＸ線画像検出器（放射線画像検出器）２４０と、Ｘ線画像検出器２４０により検出された第２の周期パターン像に基づいて縞画像を取得し、その取得した縞画像に基づいて位相コントラスト画像を生成する位相コントラスト画像生成部２６０とを備えている。なお、位相コントラスト画像生成部２６０は、コンソール１３（図２）内の制御装置２０の処理の一部を構成する。
【０１７５】
Ｘ線源１１は、被写体Ｈに向けてＸ線を射出するものであり、第１の格子１３１にＸ線を照射したとき、タルボ干渉効果を発生させうるだけの空間的干渉性を有するものである。たとえば、Ｘ線の発光点のサイズが小さいマイクロフォーカスＸ線管やプラズマＸ線源を利用することができる。また、通常の医療現場で用いられるような比較的Ｘ線の発光点（いわゆる焦点サイズ）の大きなＸ線源を用いる場合は、所定のピッチを有するマルチスリット（例えば、上述したマルチスリット１０３）をＸ線源１１と第１の格子１３１との間に設置して使用することができる。
【０１７６】
第１の格子１３１は、照射されるＸ線に対して約９０°又は約１８０°の位相変調を与える、いわゆる位相変調型格子であることが望ましく、たとえば、Ｘ線遮蔽部を金とした場合、通常の医療診断用のＸ線エネルギー領域において必要な厚さｈ１は１μｍ〜数μｍ程度になる。また、第１の格子１３１として、振幅変調型格子を用いることもできる。
一方、第２の格子１３２は、振幅変調型格子であることが望ましい。
【０１７７】
ここで、Ｘ線源１１から照射されるＸ線が、平行ビームではなく、コーンビームである場合には、第１の格子１３１を通過して形成される第１の格子１３１の自己像は、Ｘ線源１１からの距離に比例して拡大される。そして、本例においては、第２の格子１３２の格子ピッチＰ２と間隔ｄ２は、そのスリット部が、第２の格子１３２の位置における第１の格子１３１の自己像の明部の周期パターンとほぼ一致するように決定される。すなわち、Ｘ線源１１の焦点から第１の格子１３１までの距離をＬ１、第１の格子１３１から第２の格子１３２までの距離をＬ２とした場合、第２の格子ピッチＰ２及び間隔ｄ２は、上記の（１）及び式（２）の関係を満たすように決定される。
【０１７８】
なお、Ｘ線源１１から照射されるＸ線が平行ビームである場合には、Ｐ２＝Ｐ１，ｄ
２＝ｄ１を満たすように決定される。
【０１７９】
Ｘ線画像検出器２４０は、第１の格子１３１に入射したＸ線が形成する第１の格子１３１の自己像が第２の格子１３２によって強度変調された像を画像信号として検出するものである。このようなＸ線画像検出器２４０として、本例においては、直接変換型のＸ線画像検出器であって、線状の読取光によって走査されることによって画像信号が読み出される、いわゆる光読取方式のＸ線画像検出器を用いる。
【０１８０】
図２４（Ａ）は、本例のＸ線画像検出器２４０の斜視図、図２４（Ｂ）は図２４（Ａ）に示すＸ線画像検出器のＸＺ面断面図、図２４（Ｃ）は図４（Ａ）に示すＸ線画像検出器のＹＺ面断面図である。
【０１８１】
本例のＸ線画像検出器２４０は、図２４（Ａ）〜（Ｃ）に示すように、Ｘ線を透過する第１の電極層２４１、第１の電極層２４１を透過したＸ線の照射を受けることにより電荷を発生する記録用光導電層２４２、記録用光導電層２４２において発生した電荷のうち一方の極性の電荷に対しては絶縁体として作用し、かつ他方の極性の電荷に対しては導電体として作用する電荷輸送層２４４、読取光の照射を受けることにより電荷を発生する読取用光導電層２４５、及び第２の電極層２４６をこの順に積層してなるものである。記録用光導電層２４２と電荷輸送層２４４との界面近傍には、記録用光導電層２４２内で発生した電荷を蓄積する蓄電部２４３が形成される。なお、上記各層は、ガラス基板２４７上に第２の電極層２４６から順に形成されている。
【０１８２】
第１の電極層２４１としては、Ｘ線を透過するものであればよく、たとえば、ネサ皮膜（ＳｎＯ2）、ＩＴＯ（Indium Tin Oxide）、ＩＺＯ（Indium Zinc Oxide）、アモルファス状光透過性酸化膜であるＩＤＩＸＯ（Idemitsu Indium X-metal Oxide ；出光興産（株））などを５０〜２００ｎｍ厚にして用いることができ、また、１００ｎｍ厚のＡｌやＡｕなども用いることもできる。
【０１８３】
記録用光導電層２４２は、Ｘ線の照射を受けることにより電荷を発生するものであればよく、Ｘ線に対して比較的量子効率が高く、また暗抵抗が高いなどの点で優れているａ−Ｓｅを主成分とするものを使用する。厚さは１０μｍ以上１５００μｍ以下が適切である。また、特にマンモグラフィ用途である場合には、１５０μｍ以上２５０μｍ以下であることが好ましく、一般撮影用途である場合には、５００μｍ以上１２００μｍ以下であることが好ましい。
【０１８４】
電荷輸送層２４４としては、たとえば、Ｘ線画像の記録の際に第１の電極層２４１に帯電する電荷の移動度と、その逆極性となる電荷の移動度の差が大きい程良く（例えば１０２以上、望ましくは１０３以上）、たとえば、ポリＮ−ビニルカルバゾール（ＰＶＫ）、N,N'−ジフェニル−N,N'−ビス（３−メチルフェニル）−〔1,1'−ビフェニル〕−4,4'−ジアミン（ＴＰＤ）やディスコティック液晶等の有機系化合物、或いはＴＰＤのポリマー（ポリカーボネート、ポリスチレン、ＰＶＫ）分散物，Ｃｌを１０〜２００ｐｐｍドープしたａ−Ｓｅ、Ａｓ２Ｓｅ３等の半導体物質が適当である。厚さは０．２〜２μｍ程度が適切である。
【０１８５】
読取用光導電層２４５としては、読取光の照射を受けることにより導電性を呈するものであればよく、たとえば、ａ−Ｓｅ、Ｓｅ−Ｔｅ、Ｓｅ−Ａｓ−Ｔｅ、無金属フタロシアニン、金属フタロシアニン、ＭｇＰｃ（Magnesium phtalocyanine），ＶｏＰｃ（phaseII of Vanadyl phthalocyanine）、ＣｕＰｃ（Cupper phtalocyanine）などのうち少なくとも１つを主成分とする光導電性物質が好適である。厚さは５〜２０μｍ程度が適切である。
【０１８６】
第２の電極層２４６は、読取光を透過する複数の透明線状電極２４６ａと読取光を遮光する複数の遮光線状電極２４６ｂとを有するものである。透明線状電極２４６ａと遮光線状電極２４６ｂとは、Ｘ線画像検出器２４０の画像形成領域の一方の端部から他方の端部まで連続して直線状に延びるものである。そして、透明線状電極２４６ａと遮光線状電極２４６ｂとは、図２４（Ａ），（Ｂ）に示すように、所定の間隔を空けて交互に平行に配列されている。
【０１８７】
透明線状電極２４６ａは読取光を透過するとともに、導電性を有する材料から形成されている。たとえば、第１の電極層２４１と同様に、ＩＴＯ、ＩＺＯやＩＤＩＸＯを用いることができる。そして、その厚さは１００〜２００ｎｍ程度である。
【０１８８】
遮光線状電極２４６ｂは読取光を遮光するとともに、導電性を有する材料から形成されている。たとえば、上記の透明導電材料とカラーフィルターを組み合せて用いることができる。透明導電材料の厚さは１００〜２００ｎｍ程度である。
【０１８９】
そして、本例のＸ線画像検出器２４０においては、後で詳述するが、隣接する透明線状電極２４６ａと遮光線状電極２４６ｂとの１組を用いて画像信号が読み出される。すなわち、図２４（Ｂ）に示すように、１組の透明線状電極２４６ａと遮光線状電極２４６ｂとによって１画素の画像信号が読み出されることになる。本例においては、１画素が略５０μｍとなるように透明線状電極２４６ａと遮光線状電極２４６ｂとが配置されている。
【０１９０】
そして、本例のＸ線位相画像撮影装置は、図２４（Ａ）に示すように、透明線状電極２４６ａと遮光線状電極２４６ｂの延伸方向に直交する方向（Ｘ方向）に延設された線状読取光源２５０を備えている。本例の線状読取光源２５０は、ＬＥＤ（Light EmittingDiode）やＬＤ（Laser Diode）などの光源と所定の光学系とから構成され、略１０μｍの幅の線状の読取光をＸ線画像検出器２４０に照射するように構成されている。そして、この線状読取光源２５０は、所定の移動機構（図示省略）によって透明線状電極２４６ａ及び遮光線状電極２４６ｂの延伸方向（Ｙ方向）について移動するものであり、この移動により線状読取光源２５０から発せられた線状の読取光によってＸ線画像検出器２４０が走査されて画像信号が読み出される。画像信号の読取りの作用については後で詳述する。
【０１９１】
そして、Ｘ線源１１、第１の格子１３１、第２の格子１３２及びＸ線画像検出器２４０を備える構成をタルボ干渉計として機能させるためには、更にいくつかの条件をほぼ満たさねばならない。その条件について以下に説明する。
【０１９２】
まず、第１の格子１３１と第２の格子１３２とのグリッド面が、図２３に示すＸ−Ｙ平面に平行であることが必要である。
【０１９３】
そして、更に、第１の格子１３１と第２の格子１３２との距離Ｚ２（タルボ干渉距離Ｚ）は、第１の格子１３１が９０°の位相変調を与える位相変調型格子である場合、次式（２６）をほぼ満たさなければならない。
【０１９４】
【数２６】
2014030439.tif 000028
【０１９５】
ただし、λはＸ線の波長（通常はピーク波長）、ｍは０か正の整数、Ｐ１は上述した第１の格子１３１の格子ピッチ、Ｐ２は上述した第２の格子１３２の格子ピッチである。
【０１９６】
また、第１の格子１３１が１８０°の位相変調を与える位相変調型格子である場合、又は、第１の格子１３１が振幅変調型格子である場合には、タルボ干渉距離Ｚに関して次式（２７）をほぼ満たさなければならない。
【０１９７】
【数２７】
2014030439.tif 000029
【０１９８】
また、第１、第２の格子１３１，１３２のそれぞれの厚みｈ１，ｈ２に関しても、第１、第２の格子３１，３２に関して上述した式（７）及び式（８）を満たすように設定する必要がある。
【０１９９】
そして、更に本例のＸ線位相画像撮影装置においては、図２５に示すように、第１の格子１３１と第２の格子１３２とが、第１の格子１３１の延伸方向と第２の格子１３２の延伸方向とが相対的に傾くように配置されるものである。そして、このように配置された第１の格子１３１と第２の格子１３２に対して、Ｘ線画像検出器２４０によって検出される画像信号の各画素の主走査方向（図２４のＸ方向）の主画素サイズＤｘと副走査方向の副画素サイズＤｙとは、図２５に示すような関係となる。
【０２００】
主画素サイズＤｘは、上述したようにＸ線画像検出器２４０の透明線状電極２４６ａと遮光線状電極２４６ｂの配列ピッチによって決定されるものであって、本例においては５０μｍに設定されている。また、副画素サイズＤｙは、線状読取光源２５０によってＸ線画像検出器２４０に照射される線状の読取光の幅によって決定されるものであって、本例においては１０μｍに設定されている。
【０２０１】
ここで、本例においては、複数の縞画像を取得し、その複数の縞画像に基づいて位相コントラスト画像を生成するが、その取得する縞画像の数をＭとすると、Ｍ個の副画素サイズＤｙが位相コントラスト画像の副走査方向の１つの画像解像度Ｄとなるように第１の格子１３１が第２の格子１３２に対して傾けられる。
【０２０２】
具体的には、図２６に示すように、第２の格子１３２のピッチ及び第１の格子１３１によって第２の格子１３２の位置に形成される周期パターン像（以下、第１の格子１３１の自己像Ｇ１という）のピッチをp、第２の格子１３２に対する第１の格子１３１の自己像のＸ−Ｙ面内の相対的な回転角をθ、位相コントラスト画像の副走査方向の画像解像度をＤ（＝Ｄｙ×Ｍ）とすると、回転角θを下式（２８）を満たすように設定することによって、副走査方向の画像解像度Ｄの長さに対して、第１の格子１３１の自己像Ｇ１と第２の格子１３２の位相がｎ周期分ずれることになる。なお、図２６においては、Ｍ＝５、ｎ＝１の場合を示している。
【０２０３】
【数２８】
2014030439.tif 000030
【０２０４】
したがって、位相コントラスト画像の副走査方向の画像解像度ＤをＭ分割したＤｘ×Ｄｙの各画素によって、第１の格子１３１の自己像のｎ周期分の強度変調をＭ分割した画像信号が検出できることになる。図２６に示す例では、ｎ＝１としているので、副走査方向の画像解像度Ｄの長さに対して、第１の格子１３１の自己像Ｇ１と第２の格子１３２の位相が１周期分ずれることになる。もっとわかり易く言えば、第１の格子１３１の自己像Ｇ１の１周期分の第２の格子１３２を通過する範囲が、副走査方向の画像解像度Ｄの長さにわたって変化する。
【０２０５】
そして、Ｍ＝５としているので、Ｄｘ×Ｄｙの各画素によって第１の格子１３１の自己像の１周期の強度変調を５分割した画像信号が検出できることになり、すなわち、Ｄｘ×Ｄｙの各画素によって互いに異なる５つの縞画像の画像信号をそれぞれ検出することができることになる。なお、５つの縞画像の画像信号の取得方法については、後で詳述する。
【０２０６】
なお、本例においては、上述したとおり、Ｄｘ＝５０μｍ、Ｄｙ＝１０μｍ、Ｍ＝５としているので、位相コントラスト画像の主走査方向の画像解像度Ｄｘと副走査方向の画像解像度Ｄ＝Ｄｙ×Ｍが同じになるが、必ずしも主走査方向の画像解像度Ｄｘと副走査方向の画像解像度Ｄとを合わせる必要はなく、任意の主副比としてもよい。
【０２０７】
更に、本例においては、Ｍ＝５としているが、Ｍは３以上であればよく、５以外であってもよい。また、上記説明ではｎ＝１としたが、ｎは０以外の整数であれば１以外の整数でもよい。すなわち、ｎが負の整数の場合には上述した例に対して反対周りの回転となり、また、ｎを±１以外の整数としてｎ周期分の強度変調としてもよい。ただし、ｎがＭの倍数の場合は、１組のＭ個の副走査方向画素Ｄｙの間で第１の格子１３１の自己像Ｇ１と第２の格子１３２の位相が等しくなり、異なるＭ個の縞画像とならないため除外するものとする。
【０２０８】
また、第２の格子１３２に対する第１の格子１３１の自己像の回転角θについては、たとえば、Ｘ線画像検出器２４０と第２の格子１３２の相対回転角を固定した後、第１の格子１３１を回転させることによって行うことができる。
【０２０９】
たとえば、上式（２８）でｐ＝５μｍ、Ｄ＝５０μｍ、ｎ＝１とすると、理論上の回転角θは約５．７°である。そして、第２の格子１３２に対する第１の格子１３１の自己像の実際の回転角θ’は、たとえば、第１の格子の自己像と第２の格子１３２によるモアレのピッチによって検出することができる。
【０２１０】
具体的には、図２７に示すように、実際の回転角をθ’、回転によって生じたＸ方向への見た目の自己像のピッチＰ’とすると、観測されるモアレのピッチＰｍは、１／Ｐｍ＝｜１／Ｐ’−１／Ｐ｜であるので、Ｐ’＝Ｐ／ｃｏｓθ’を上式に代入することによって実際の回転角θ’を求めることができる。なお、モアレのピッチＰｍについては、Ｘ線画像検出器２４０によって検出された画像信号に基づいて求めるようにすればよい。
【０２１１】
そして、理論上の回転角θと実際の回転角θ’とを比較し、その差の分だけで自動又は手動で第１の格子１３１の回転角を調整するようにすればよい。
【０２１２】
位相コントラスト画像生成部２６０は、Ｘ線画像検出器２４０により検出された互いに異なるＭ種類の縞画像の画像信号に基づいてＸ線位相コントラスト画像を生成するものである。
【０２１３】
次に、本例のＸ線位相画像撮影装置の作用について説明する。
【０２１４】
まず、図２３に示すように、Ｘ線源１１と第１の格子１３１との間に、被写体Ｈが配置された後、Ｘ線源１１からＸ線が射出される。そして、そのＸ線は被写体Ｈを透過した後、第１の格子１３１に照射される。第１の格子１３１に照射されたＸ線は、第１の格子１３１で回折されることにより、第１の格子１３１からＸ線の光軸方向において所定の距離において、タルボ干渉像を形成する。
【０２１５】
これをタルボ効果と呼び、光波が第１の格子１３１を通過したとき、第１の格子１３１から所定の距離において、第１の格子１３１の自己像を形成する。たとえば、第１の格子１３１が、９０°の位相変調を与える位相変調型格子の場合、上式（２６）（１８０°の位相変調型格子や強度変調型格子の場合は上式（２７））で与えられる距離において第１の格子１３１の自己像を形成する一方、被写体Ｈによって、第１の格子１３１に入射するＸ線の波面は歪むため、第１の格子１３１の自己像はそれに従って変形している。
【０２１６】
続いて、Ｘ線は、第２の格子１３２を通過する。その結果、上記の変形した第１の格子１３１の自己像は第２の格子１３２との重ね合わせにより、強度変調を受け、上記波面の歪みを反映した画像信号としてＸ線画像検出器２４０により検出される。
【０２１７】
ここで、Ｘ線画像検出器２４０における画像検出と読出しの作用について説明する。
【０２１８】
まず、図２８（Ａ）に示すように高圧電源４００によってＸ線画像検出器２４０の第１の電極層２４１に負の電圧を印加した状態において、第１の格子１３１の自己像と第２の格子１３２との重ね合わせによって強度変調されたＸ線が、Ｘ線画像検出器２４０の第１の電極層２４１側から照射される。
【０２１９】
そして、Ｘ線画像検出器２４０に照射されたＸ線は、第１の電極層２４１を透過し、記録用光導電層２４２に照射される。そして、そのＸ線の照射によって記録用光導電層２４２において電荷対が発生し、そのうち正の電荷は第１の電極層２４１に帯電した負の電荷と結合して消滅し、負の電荷は潜像電荷として記録用光導電層２４２と電荷輸送層２４４との界面に形成される蓄電部２４３に蓄積される（図２８（Ｂ）参照）。
【０２２０】
次に、図２９に示すように、第１の電極層２４１が接地された状態において、線状読取光源２５０から発せられた線状の読取光Ｌ１が第２の電極層２４６側から照射される。読取光Ｌ１は透明線状電極２４６ａを透過して読取用光導電層２４５に照射され、その読取光Ｌ１の照射により読取用光導電層２４５において発生した正の電荷が電荷輸送層２４４を通過して蓄電部２４３における潜像電荷と結合するとともに、負の電荷が、透明線状電極２４６ａに接続されたチャージアンプ２００を介して遮光線状電極２４６ｂに帯電した正の電荷と結合する。
【０２２１】
そして、読取用光導電層２４５において発生した負の電荷と遮光線状電極２４６ｂに帯電した正の電荷との結合によって、チャージアンプ２００に電流が流れ、この電流が積分されて画像信号として検出される。
【０２２２】
そして、線状読取光源２５０が、副走査方向に移動することによって線状の読取光Ｌ１によってＸ線画像検出器２４０が走査され、線状の読取光Ｌ１の照射された読取ライン毎に上述した作用によって画像信号が順次検出され、その検出された読取ライン毎の画像信号が位相コントラスト画像生成部２６０に順次入力されて記憶される。
【０２２３】
そして、Ｘ線画像検出器２４０の全面が読取光Ｌ１に走査されて１フレーム全体の画像信号が位相コントラスト画像生成部２６０に記憶された後、位相コントラスト画像生成部２６０は、その記憶された画像信号に基づいて、互いに異なる５つの縞画像の画像信号を取得する。
【０２２４】
具体的には、本例においては、図２６に示すように、位相コントラスト画像の副走査方向の画像解像度Ｄを５分割し、第１の格子１３１の自己像の１周期の強度変調を５分割した画像信号が検出できるように第１の格子１３１を第２の格子１３２に対して傾けるようにしたので、図３０に示すように、第１読取ラインから読み出された画像信号が第１の縞画像信号Ｍ１として取得され、第２読取ラインから読み出された画像信号が第２の縞画像信号Ｍ２として取得され、第３読取ラインから読み出された画像信号が第３の縞画像信号Ｍ３として取得され、第４読取ラインから読み出された画像信号が第４の縞画像信号Ｍ４として取得され、第５読取ラインから読み出された画像信号が第５の縞画像信号Ｍ５として取得される。なお、図３０に示す第１〜第５読取ラインは、図２６に示す副画素サイズＤｙに相当する。
【０２２５】
また、図３０においては、Ｄｘ×（Ｄｙ×５）の読取範囲しか示していないが、その他の読取範囲についても、上記と同様にして第１〜第５の縞画像信号が取得される。すなわち、図３１に示すように、副走査方向について４画素間隔毎の画素行（読取ライン）からなる画素行群の画像信号が取得されて１フレームの１つの縞画像信号が取得される。より具体的には、第１読取ラインの画素行群の画像信号が取得されて１フレームの第１の縞画像信号が取得され、第２読取ラインの画素行群の画像信号が取得されて１フレームの第２の縞画像信号が取得され、第３読取ラインの画素行群の画像信号が取得されて１フレームの第３の縞画像信号が取得され、第４読取ラインの画素行群の画像信号が取得されて１フレームの第４の縞画像信号が取得され、第５読取ラインの画素行群の画像信号が取得されて１フレームの第５の縞画像信号が取得される。
【０２２６】
上記のようにして互いに異なる第１〜第５の縞画像信号が取得され、この第１〜第５の縞画像信号に基づいて、位相コントラスト画像生成部２６０において位相コントラスト画像が生成される。
【０２２７】
本例における位相コントラスト画像の生成方法は、既に式（１４）〜（２０）を参照して説明した内容と同様であるため、その説明を省略する。
【０２２８】
なお、上述した第１の格子１３１と第２の格子１３２とを傾ける構成において、第１の格子１３１と第２の格子１３２とをともに吸収型（振幅変調型）格子として構成し、タルボ干渉効果の有無に関わらず、スリット部を通過した放射線を幾何学的に投影する構成としてもよい。この場合には、第１の格子１３１の間隔ｄ１と第２の格子１３２の間隔ｄ２とを、Ｘ線源１１から照射されるＸ線のピーク波長より十分大きな値とすることで、照射Ｘ線に含まれる大部分をスリット部で回折せずに、直進性を保ったまま通過するように構成する。たとえば、Ｘ線源のターゲットとしてタングステンを用い、管電圧を５０ｋＶとした場合には、Ｘ線のピーク波長は約０．４Åである。この場合には、第１の格子１３１の間隔ｄ１と第２の格子１３２の間隔ｄ２を、１μｍ〜１０μｍ程度とすればスリット部で大部分の放射線が回折されずに幾何学的に投影される。第１の格子１３１の格子ピッチＰ１と第２の格子１３２の格子ピッチＰ２との関係と、第１の格子１３１の間隔ｄ１と第２の格子１３２の間隔ｄ２との関係とについては、上述した第１の格子１３１が位相変調型格子である場合と同様である。また、第２の格子１３２に対する第１の格子１３１の傾きについても、上述の例と同様であり、位相コントラスト画像の生成も、上述の例と同様に行われる。
【０２２９】
なお、上記例においては、Ｘ線画像検出器２４０として、線状読取光源２５０から発せられた線状の読取光の走査によって画像信号が読み出される、いわゆる光読取方式のＸ線画像検出器を用いるようにしたが、これに限らず、たとえば、特開２００２−２６３００号公報に記載されているような、ＴＦＴスイッチが２次元状に多数配列され、そのＴＦＴスイッチをオンオフすることによって画像信号が読み出されるＴＦＴスイッチを用いたＸ線画像検出器や、ＣＭＯＳを用いたＸ線画像検出器などを用いるようにしてもよい。
【０２３０】
具体的には、ＴＦＴスイッチを用いたＸ線画像検出器は、たとえば、図３２に示すように、Ｘ線の照射によって半導体膜において光電変換された電荷を収集する画素電極２７１と画素電極２７１によって収集された電荷を画像信号として読み出すためのＴＦＴスイッチ２７２とを備えた画素回路２７０が２次元状に多数配列されたものである。そして、ＴＦＴスイッチを用いたＸ線画像検出器は、画素回路行毎に設けられ、ＴＦＴスイッチ２７２をオンオフするためのゲート走査信号が出力される多数のゲート電極２７３と、画素回路列毎に設けられ、各画素回路２７０から読み出された電荷信号が出力される多数のデータ電極２７４とを備えている。なお、各画素回路２７０の詳細な層構成については、特開２００２−２６３００号公報に記載されている層構成と同様である。
【０２３１】
そして、たとえば、第２の格子１３２と画素回路列（データ電極）とが平行になるように設置した場合、１つの画素回路列が、上記例において説明した主画素サイズＤｘに相当し、１つの画素回路行が、上記例において説明した副画素サイズＤｙに相当する。なお、主画素サイズＤｘ及び副画素サイズＤｙは、たとえば、５０μｍとすることができる。
【０２３２】
そして、上記例と同様に、位相コントラスト画像を生成するためにＭ枚の縞画像を使用する場合、Ｍ行の画素回路行が、位相コントラスト画像の副走査方向の１つの画像解像度Ｄとなるように第１の格子１３１が第２の格子１３２に対して傾けられる。具体的な、第１の格子１３１の回転角については、上記例と同様に、上式（２８）によって算出される。
【０２３３】
上式（２８）において、たとえば、Ｍ＝５、ｎ＝１として第１の格子１３１の回転角θを設定した場合、図３２の１つの画素回路２７０によって第１の格子１３１の自己像の１周期の強度変調を５分割した画像信号を検出できることになり、すなわち、図３２に示す５本のゲート電極２７３に接続される５行の画素回路行によって、互いに異なる５つの縞画像の画像信号をそれぞれ検出することができることになる。なお、図３２においては、１つの画素回路列に対して１本の第２の格子１３２と自己像Ｇ１とが対応して示されているが、実際には、１つの画素回路列に対して多数の第２の格子１３２及び自己像Ｇ１が存在していてもよく、図３２は図示省略しているものとする。
【０２３４】
したがって、第１読取ライン用ゲート電極Ｇ１１に接続される画素回路行から読み出された画像信号が第１の縞画像信号Ｍ１として取得され、第２読取ライン用ゲート電極Ｇ１２に接続される画素回路行から読み出された画像信号が第２の縞画像信号Ｍ２として取得され、第３読取ライン用ゲート電極Ｇ１３に接続される画素回路行から読み出された画像信号が第３の縞画像信号Ｍ３として取得され、第４読取ライン用ゲート電極Ｇ１４に接続される画素回路行から読み出された画像信号が第４の縞画像信号Ｍ４として取得され、第５読取ライン用ゲート電極Ｇ１５に接続される画素回路行から読み出された画像信号が第５の縞画像信号Ｍ５として取得される。
【０２３５】
第１〜第５の縞画像信号に基づいて位相コントラスト画像を生成する方法については、上記例と同様である。なお、上述したように１つの画素回路２７０の主走査方向及び副走査方向のサイズが５０μｍである場合には、位相コントラスト画像の主走査方向の画像解像度は５０μｍとなり、副走査方向の画像解像度は５０μｍ×５＝２５０μｍとなる。
【０２３６】
また、ＣＭＯＳを用いたＸ線画像検出器としては、たとえば、Ｘ線の照射を受けて可視光を発生し、その可視光を光電変換することによって電荷信号を検出する画素回路２８０が、図３３に示すように２次元状に多数配列されたものを用いることができる。そして、このＣＭＯＳを用いたＸ線画像検出器は、画素回路行毎に設けられ、画素回路２８０に含まれる信号読み出し回路を駆動するための駆動信号が出力される多数のゲート電極２８２及びリセット電極２８４と、画素回路列毎に設けられ、各画素回路２８０の信号読み出し回路から読み出された電荷信号が出力される多数のデータ電極２８３とを備えている。なお、ゲート電極２８２及びリセット電極２８４には、信号読み出し回路に駆動信号を出力する行選択走査部２８５が接続され、データ電極２８３には、各画素回路から出力された電荷信号に所定の処理を施す信号処理部２８６が接続されている。
【０２３７】
各画素回路２８０は、図３４に示すように、基板８００の上方に絶縁膜８０３を介して形成された下部電極８０６と、下部電極８０６上に形成された光電変換膜８０７と、光電変換膜８０７上に形成された上部電極８０８と、上部電極８０８上に形成された保護膜８０９と、保護膜８０９上に形成されたＸ線変換膜８１０とを備えている。
【０２３８】
Ｘ線変換膜８１０は、たとえば、Ｘ線の照射を受けて５５０ｎｍの波長の光を発するＣｓＩ：ＴＩから形成される。その厚さは５００μｍ程度とすることが望ましい。
【０２３９】
上部電極８０８は、光電変換膜８０７に５５０ｎｍの波長の光を入射させる必要があるため、その入射光に対して透明な導電性材料で構成される。また、下部電極８０６は、画素回路２８０毎に分割された薄膜であり、透明又は不透明の導電性材料で形成される。
【０２４０】
光電変換膜８０７は、たとえば、５５０ｎｍの波長の光を吸収してこの光に応じた電荷を発生する光電変換材料から形成される。このような光電変換材料としては、たとえば、有機半導体、有機色素を含む有機材料、及び直接遷移型のバンドギャップをもつ吸収係数の大きい無機半導体結晶等を単体又は組み合わせた材料などがある。
【０２４１】
そして、上部電極８０８と下部電極８０６との間に所定のバイアス電圧を印加することで、光電変換膜８０７で発生した電荷のうち一方が上部電極８０８に移動し、他方が下部電極８０６に移動する。
【０２４２】
そして、下部電極８０６の下方の基板８００内には、この下部電極８０６に対応させて、下部電極８０６に移動した電荷を蓄積するための電荷蓄積部８０２と、電荷蓄積部８０２に蓄積された電荷を電圧信号に変換して出力する信号読み出し回路８０１とが形成されている。
【０２４３】
電荷蓄積部８０２は、絶縁膜８０３を貫通して形成された導電性材料のプラグ８０４によって下部電極８０６に電気的に接続されている。信号読み出し回路８０１は、公知のＣＭＯＳ回路によって構成されている。
【０２４４】
そして、上述したようなＣＭＯＳを用いたＸ線画像検出器を、図３５に示すように、第２の格子１３２と画素回路列（データ電極）とが平行になるように設置した場合、１つの画素回路列が、上記例において説明した主画素サイズＤｘに相当し、１つの画素回路行が、上記例において説明した副画素サイズＤｙに相当する。なお、主画素サイズＤｘ及び副画素サイズＤｙは、ＣＭＯＳを用いたＸ線画像検出器の場合には、たとえば、１０μｍとすることができる。
【０２４５】
そして、上記例と同様に、位相コントラスト画像を生成するためにＭ枚の縞画像を使用する場合、Ｍ行の画素回路行が、位相コントラスト画像の副走査方向の１つの画像解像度Ｄとなるように第１の格子１３１が第２の格子１３２に対して傾けられる。具体的な、第１の格子１３１の回転角については、上記例と同様に、上式（２８）によって算出される。
【０２４６】
上式（２８）において、たとえば、Ｍ＝５、ｎ＝１として第１の格子１３１の回転角θを設定した場合、図３５の１つの画素回路２８０によって第１の格子１３１の自己像の１周期の強度変調を５分割した画像信号を検出できることになり、すなわち、図３５に示す５本のゲート電極２８２に接続される５行の画素回路行によって、互いに異なる５つの縞画像の画像信号をそれぞれ検出することができることになる。なお、図３５においては、１つの画素回路列に対して１本の第２の格子１３２と自己像Ｇ１とが対応して示されているが、実際には、１つの画素回路列に対して多数の第２の格子１３２及び自己像Ｇ１が存在していてもよく、図３５は図示省略しているものとする。
【０２４７】
したがって、ＴＦＴスイッチを用いたＸ線画像検出器の場合と同様に、第１読取ライン用ゲート電極Ｇ１１に接続される画素回路行から読み出された画像信号が第１の縞画像信号Ｍ１として取得され、第２読取ライン用ゲート電極Ｇ１２に接続される画素回路行から読み出された画像信号が第２の縞画像信号Ｍ２として取得され、第３読取ライン用ゲート電極Ｇ１３に接続される画素回路行から読み出された画像信号が第３の縞画像信号Ｍ３として取得され、第４読取ライン用ゲート電極Ｇ１４に接続される画素回路行から読み出された画像信号が第４の縞画像信号Ｍ４として取得され、第５読取ライン用ゲート電極Ｇ１５に接続される画素回路行から読み出された画像信号が第５の縞画像信号Ｍ５として取得される。
【０２４８】
第１〜第５の縞画像信号に基づいて位相コントラスト画像を生成する方法については、上記例と同様である。なお、上述したように１つの画素回路２８０の主走査方向及び副走査方向のサイズが１０μｍである場合には、位相コントラスト画像の主走査方向の画像解像度は１０μｍとなり、副走査方向の画像解像度は１０μｍ×５＝５０μｍとなる。
【０２４９】
なお、上述したようにＴＦＴスイッチを用いたＸ線画像検出器やＣＭＯＳを用いたＸ線画像検出器も用いることは可能であるが、これらのＸ線画像検出器は、画素が正方形であるため、本発明を適用する場合には、副走査方向の解像度が主走査方向の解像度に対して悪くなる。これに対し、上記例で説明した光読取方式のＸ線画像検出器においては、主走査方向については線状電極の幅（延伸方向と垂直な方向）によって解像度Ｄｘが制限されるが、副走査方向については、線状読取光源２５０の読取光の副走査方向の幅及び１ラインあたりのチャージアンプ２００の蓄積時間と線状読取光源２５０の移動速度の積で解像度Ｄｙが決まることになる。主副解像度ともに典型的には数１０μｍであるが、主走査方向の解像度を維持したまま副走査方向の解像度を高くする設計が可能である。たとえば、線状読取光源２５０の幅を小さくしたり、移動速度を遅くすることにより実現可能であって、光読取方式のＸ線画像検出器は、より有利な構成である。
【０２５０】
また、１回の撮影で複数の縞画像信号を取得することができるので、上述したような即座に繰り返し使用可能な半導体の検出器に限らず、蓄積性蛍光体シートや銀塩フイルムなども利用することができる。なお、この場合、蓄積性蛍光体シートや現像された銀塩フイルムなどを読み取る際の読取画素が請求項における画素に相当するものとする。
【０２５１】
次に、本発明の例を説明するための他のＸ線撮影システムの構成例について説明する。図３６に本例のＸ線位相画像撮影装置の概略構成を示す。
Ｘ線位相画像撮影装置は、図３６に示すように、Ｘ線源１１から射出されたＸ線を通過させて周期パターン像を形成する格子１３１と、格子１３１により形成された周期パターン像を検出するとともに、その周期パターン像に対して強度変調を施すＸ線画像検出器（放射線画像検出器）３４０と、Ｘ線画像検出器３４０をその線状電極の延伸方向に直交する方向に移動させる移動機構３３３と、Ｘ線画像検出器３４０において上記周期パターン像に対して強度変調の施された縞画像に基づいて位相コントラスト画像を生成する位相コントラスト画像生成部２６０とを備えている。
【０２５２】
本例においても、所定のピッチを有するマルチスリット（例えば、上述のマルチスリット１０３）をＸ線源１１と第１の格子１３１との間に設置して使用することができる。
【０２５３】
Ｘ線画像検出器３４０は、Ｘ線が格子１３１を通過することによって格子１３１によって形成された格子１３１の自己像を検出するとともに、その自己像に応じた電荷信号を後述する格子状に分割された電荷蓄積層に蓄積することによって自己像に強度変調を施して縞画像を生成し、その生成した縞画像を画像信号として出力するものである。このようなＸ線画像検出器３４０として、本例においては、直接変換型のＸ線画像検出器であって、線状の読取光によって走査されることによって画像信号が読み出される、いわゆる光読取方式のＸ線画像検出器を用いる。
【０２５４】
図３７（Ａ）は、本例のＸ線画像検出器３４０の斜視図、図３７（Ｂ）は図３７（Ａ）に示すＸ線画像検出器のＸＺ面断面図、図３７（Ｃ）は図３７（Ａ）に示すＸ線画像検出器のＹＺ面断面図である。
【０２５５】
本例のＸ線画像検出器３４０は、図３７（Ａ）〜（Ｃ）に示すように、Ｘ線を透過する第１の電極層２４１、第１の電極層２４１を透過したＸ線の照射を受けることにより電荷を発生する記録用光導電層２４２、記録用光導電層２４２において発生した電荷のうち一方の極性の電荷に対しては絶縁体として作用し、かつ他方の極性の電荷に対しては導電体として作用する電荷蓄積層３４３、読取光の照射を受けることにより電荷を発生する読取用光導電層２４５、及び第２の電極層２４６をこの順に積層してなるものである。なお、上記各層は、ガラス基板２４７上に第２の電極層２４６から順に形成されている。
【０２５６】
電荷蓄積層３４３は、蓄積したい極性の電荷に対して絶縁性の膜であれば良く、アクリル系有機樹脂、ポリイミド、ＢＣＢ、ＰＶＡ、アクリル、ポリエチレン、ポリカーボネート、ポリエーテルイミド等のポリマーやＡｓ２Ｓ３、Ｓｂ２Ｓ３、ＺｎＳ等の硫化物、その他に酸化物、フッ化物より構成される。更には、蓄積したい極性の電荷に対して絶縁性であり、それと逆の極性の電荷に対しては導電性を有する方がより好ましく、移動度×寿命の積が、電荷の極性により３桁以上差がある物質が好ましい。
【０２５７】
好ましい化合物としては、Ａｓ２Ｓｅ３、Ａｓ２Ｓｅ３にＣｌ、Ｂｒ、Ｉを５００ｐｐｍから２００００ｐｐｍまでドープしたもの、Ａｓ２Ｓｅ３のＳｅをＴｅで５０％程度まで置換したＡｓ２（ＳｅｘＴｅ１−ｘ）３（０．５＜ｘ＜１）、Ａｓ２Ｓｅ３のＳｅをＳで５０％程度まで置換したもの、Ａｓ２Ｓｅ３からＡｓ濃度を±１５％程度変化させたＡｓｘＳｅｙ（ｘ＋ｙ＝１００、３４≦ｘ≦４６）、アモルファスＳｅ−Ｔｅ系でＴｅを５−３０ｗｔ％のもの等が挙げられる。
【０２５８】
なお、電荷蓄積層３４３の材料としては、第１の電極層２４１と第２の電極層２４６との間に形成される電気力線が曲がらないようにするため、その誘電率が、記録用光導電層２４２と読取用光導電層２４５の誘電率の１／２倍以上２倍以下のものを用いることが望ましい。
【０２５９】
そして、本例における電荷蓄積層３４３は、図３７（Ａ）〜（Ｃ）に示すように、第２の電極層２４６の透明線状電極２４６ａ及び遮光線状電極２４６ｂの延伸方向に平行となるように線状に分割されている。
【０２６０】
また、電荷蓄積層３４３は、透明線状電極２４６ａ若しくは遮光線状電極２４６ｂの配列ピッチよりも細かいピッチで分割されるが、その配列ピッチＰ２と間隔ｄ２は、格子１３１との組み合わせによって位相イメージングを行うことができるように決定される。
なお、透明線状電極２４６ａ若しくは遮光線状電極２４６ｂの配列ピッチＰ２及び間隔ｄ２は、上述した第２の格子１３２に関するピッチＰ２及び間隔ｄ２と同様に決められるため、同一符号を用いて説明する。
【０２６１】
具体的には、Ｘ線源１１から照射されるＸ線が、平行ビームではなく、コーンビームである場合には、格子１３１を通過して形成される格子１３１の自己像は、Ｘ線源１１からの距離に比例して拡大される。そして、本例においては、電荷蓄積層３４３の配列ピッチＰ２と間隔ｄ２は、線状の電荷蓄積層３４３の部分が、電荷蓄積層３４３の位置における格子１３１の自己像の明部の周期パターンとほぼ一致するように決定される。すなわち、格子１３１の格子ピッチをＰ１、格子１３１のＸ線遮蔽部の間隔をｄ１、Ｘ線源１１の焦点から格子１３１までの距離をＬ１、格子１３１からＸ線画像検出器３４０の検出面までの距離をＬ２とした場合、電荷蓄積層３４３の配列ピッチＰ２及び間隔ｄ２は、上記の（１）及び式（２）の関係を満たすように決定される。
【０２６２】
また、電荷蓄積層３４３は、積層方向（Ｚ方向）について２μｍ以下の厚さで形成される。
【０２６３】
そして、電荷蓄積層３４３は、たとえば、上述したような材料と金属板に穴を空けたメタルマスクやファイバーなどによって形成されたマスクとを用いて抵抗加熱蒸着によって形成することができる。また、フォトリソグラフィを用いて形成するようにしてもよい。
【０２６４】
そして、本例のＸ線画像検出器３４０においては、後で詳述するが、隣接する透明線状電極２４６ａと遮光線状電極２４６ｂとの１組を用いて画像信号が読み出される。すなわち、図３７（Ｂ）に示すように、１組の透明線状電極２４６ａと遮光線状電極２４６ｂとによって１画素の画像信号が読み出されることになる。本例においては、１画素が略５０μｍとなるように透明線状電極２４６ａと遮光線状電極２４６ｂとが配置されている。
【０２６５】
そして、本例のＸ線位相画像撮影装置は、図３７（Ａ）に示すように、透明線状電極２４６ａと遮光線状電極２４６ｂの延伸方向に直交する方向（Ｘ方向）に延設された線状読取光源２５０を備えている。
【０２６６】
そして、Ｘ線源１１、格子１３１、及び上記のように分割された電荷蓄積層３４３を有するＸ線画像検出器３４０を備える構成をタルボ干渉計として機能させるためには、更にいくつかの条件をほぼ満たさねばならない。その条件について以下に説明する。
【０２６７】
まず、格子１３１とＸ線画像検出器３４０の検出面が、図３６に示すＸ−Ｙ平面に平行であることが必要である。
【０２６８】
そして、更に、格子１３１とＸ線画像検出器３４０の検出面までの距離Ｚ２（タルボ干渉距離Ｚ）は、格子１３１が９０°の位相変調を与える位相変調型格子である場合、上述の式（２６）をほぼ満たさなければならない。
【０２６９】
また、格子１３１が１８０°の位相変調を与える位相変調型格子である場合、又は、格子１３１が振幅変調型格子である場合には、タルボ干渉距離Ｚに関して上述の式（２７）をほぼ満たさなければならない。
【０２７０】
移動機構３３３は、上述したように、Ｘ線画像検出器３４０をその線状電極の延伸方向に直交する方向に並進移動させることにより、格子１３１とＸ線画像検出器３４０との相対位置を変化させるものである。移動機構３３３は、たとえば、圧電素子等のアクチュエータにより構成される。
【０２７１】
次に、本例のＸ線位相画像撮影装置の作用について説明する。
【０２７２】
Ｘ線は被写体Ｈを透過した後、格子１３１に照射される。格子１３１に照射されたＸ線は、格子１３１で回折されることにより、格子１３１からＸ線の光軸方向において所定の距離において、タルボ干渉像を形成する。
【０２７３】
そして、格子１３１の自己像は、Ｘ線画像検出器３４０の第１の電極層２４１側から入射され、Ｘ線画像検出器３４０の電荷蓄積層３４３によって強度変調を受け、上記波面のみを反映した縞画像の画像信号としてＸ線画像検出器３４０により検出される。
【０２７４】
ここで、Ｘ線画像検出器３４０における縞画像の検出と読出しの作用について、より詳細に説明する。
【０２７５】
まず、図３８（Ａ）に示すように高圧電源４００によってＸ線画像検出器３４０の第１の電極層２４１に負の電圧を印加した状態において、格子１３１の自己像を担持したＸ線が、Ｘ線画像検出器３４０の第１の電極層２４１側から照射される。
【０２７６】
そして、Ｘ線画像検出器３４０に照射されたＸ線は、第１の電極層２４１を透過し、記録用光導電層２４２に照射される。そして、そのＸ線の照射によって記録用光導電層２４２において電荷対が発生し、そのうち正の電荷は第１の電極層２４１に帯電した負の電荷と結合して消滅し、負の電荷は潜像電荷として電荷蓄積層３４３に蓄積される（図３８（Ｂ）参照）。
【０２７７】
ここで、本例における電荷蓄積層３４３は、上述したような配列ピッチで線状に分割されているので、記録用光導電層２４２において格子１３１の自己像に応じて発生した電荷のうちその直下に電荷蓄積層３４３が存在する電荷のみが電荷蓄積層３４３によってトラップされて蓄積され、それ以外の電荷については線状の電荷蓄積層３４３の間（以下、非電荷蓄積領域という）を通過し、読取用光導電層２４５を通過した後、透明線状電極２４６ａと遮光線状電極２４６ｂとに流れ出してしまう。
【０２７８】
このように記録用光導電層２４２において発生した電荷のうち、その直下に線状の電荷蓄積層３４３が存在する電荷のみを蓄積することによって、格子１３１の自己像は電荷蓄積層３４３の線状のパターンとの重ね合わせにより強度変調を受け、被写体Ｈによる自己像の波面の歪みを反映した縞画像の画像信号が電荷蓄積層３４３に蓄積されることになる。すなわち、本例の電荷蓄積層３４３は、従来の２つの格子を利用した位相イメージングにおける２つ目の格子と同等の機能を果たすことになる。
【０２７９】
そして、次に、図３９に示すように、第１の電極層２４１が接地された状態において、線状読取光源２５０から発せられた線状の読取光Ｌ１が第２の電極層２４６側から照射される。読取光Ｌ１は透明線状電極２４６ａを透過して読取用光導電層２４５に照射され、その読取光Ｌ１の照射により読取用光導電層２４５において発生した正の電荷が電荷蓄積層３４３における潜像電荷と結合するとともに、負の電荷が、透明線状電極２４６ａに接続されたチャージアンプ２００を介して遮光線状電極２４６ｂに帯電した正の電荷と結合する。
【０２８０】
そして、読取用光導電層２４５において発生した負の電荷と遮光線状電極２４６ｂに帯電した正の電荷との結合によって、チャージアンプ２００に電流が流れ、この電流が積分されて画像信号として検出される。
【０２８１】
そして、線状読取光源２５０が、副走査方向（Ｙ方向）に移動することによって線状の読取光Ｌ１によってＸ線画像検出器３４０が走査され、線状の読取光Ｌ１の照射された読取ライン毎に上述した作用によって画像信号が順次検出され、その検出された読取ライン毎の画像信号が位相コントラスト画像生成部２６０に順次入力されて記憶される。
【０２８２】
そして、Ｘ線画像検出器３４０の全面が読取光Ｌ１に走査されて１フレーム全体の画像信号が位相コントラスト画像生成部２６０に記憶される。
【０２８３】
本例における位相コントラスト画像の生成方法の原理は、式（１２）〜（１８）を参照して説明した内容と同様であるため、その説明を省略する。位相コントラスト画像生成部２６０により、複数の縞画像に基づいて位相コントラスト画像が生成される。
【０２８４】
なお、上述のＸ線位相画像撮影装置は、格子１３１からＸ線画像検出器３４０の検出面までの距離Ｚ２がタルボ干渉距離となるように、上述の式（２６）及び式（２７）を満たすようにしたが、格子１３１が入射Ｘ線を回折せずに投影させる構成としてもよい。この構成によれば、格子１３１を通過して射影される投影像が、格子１３１の後方の全ての位置で相似的に得られるため、格子１３１からＸ線画像検出器３４０の検出面までの距離Ｚ２を、タルボ干渉距離を無関係に設定することができる。
【０２８５】
次に、上述のＸ線位相画像撮影装置の変形例について説明する。上述のＸ線位相画像撮影装置は、移動機構３３３によってＸ線画像検出器３４０を並進移動させ、各位置においてＸ線画像の撮影を行うことによってＭ枚の縞画像信号を取得するようにしたが、本例のＸ線位相画像撮影装置は、上記のような移動機構３３３を必要とすることなく、１回のＸ線画像の撮影によってＭ枚の縞画像信号を取得可能に構成されたものである。
すなわち、上述の図２５〜図３１等を参照して説明したように、本例においても、図２５〜図２７等に示すように、格子１３１とＸ線画像検出器３４０とが、格子１３１の延伸方向とＸ線画像検出器３４０の電荷蓄積層３４３の延伸方向とが相対的に傾くように配置されるものである。そして、このように配置された格子１３１と電荷蓄積層３４３に対して、Ｘ線画像検出器３４０によって検出される画像信号の各画素の主走査方向（図３７のＸ方向）の主画素サイズＤｘと副走査方向の副画素サイズＤｙとは、図２６に示すような関係となる。上述の図２５〜図３１等を参照して説明した構成及び作用と同様にして、１回の放射線画像の撮影が行われた後、Ｘ線画像検出器３４０の全面が読取光Ｌ１に走査されて１フレーム全体の画像信号が位相コントラスト画像生成部２６０に記憶され、位相コントラスト画像生成部２６０は、その記憶された画像信号に基づいて、互いに異なる５つの縞画像の画像信号を取得する。この第１〜第５の縞画像信号に基づいて、位相コントラスト画像生成部２６０により、上記例と同様にして位相コントラスト画像が生成される。
【０２８６】
また、上記例においては、Ｘ線画像検出器３４０として、電極間に、記録用光導電層２４２、電荷蓄積層３４３及び読取用光導電層２４５の３層を設けたものを利用するようにしたが、必ずしもこの層構成である必要はなく、たとえば、図４０に示すように、読取用光導電層２４５を設けることなく、第２の電極層の透明線状電極２４６ａ及び遮光線状電極２４６ｂ上に直接接触するように線状の電荷蓄積層３４３を設け、その電荷蓄積層３４３の上に記録用光導電層２４２を設けるようにしてもよい。なお、この記録用光導電層２４２は、読取用光導電層としても機能するものである。
【０２８７】
この構造は、読取用光導電層２４５なしに第２の電極層２４６に直接電荷蓄積層３４３を設ける構造で、線状の電荷蓄積層３４３の形成を容易にする。すなわち、この線状の電荷蓄積層３４３は、蒸着で形成することができる。この蒸着工程において、選択的に線状パターンを形成するためにメタルマスクなどを用いるが、読取用光導電層２４５の上に線状の電荷蓄積層３４３を設ける構成では、読取用光導電層２４５の蒸着後のメタルマスクをセットする工程のため、読取用光導電層２４５の蒸着工程と記録用光導電層２４２の蒸着工程の間で大気中操作により、読取用光導電層２４５に劣化や、光導電層間に異物が混入して品質の劣化をもたらす虞がある。上述した読取用光導電層２４５を設けない構造とすることで、光導電層の蒸着後の大気中操作を減らすことができるため、上述の品質劣化の懸念を低減することができる。
【０２８８】
以下に、図４０に示すＸ線画像検出器３６０のＸ線画像の記録と読み出しの作用について説明する。
【０２８９】
まず、図４１（Ａ）に示すように高圧電源４００によってＸ線画像検出器３６０の第１の電極層２４１に負の電圧を印加した状態において、格子１３１の自己像を担持したＸ線が、Ｘ線画像検出器３６０の第１の電極層２４１側から照射される。
【０２９０】
そして、Ｘ線画像検出器３４０に照射されたＸ線は、第１の電極層２４１を透過し、記録用光導電層２４２に照射される。そして、そのＸ線の照射によって記録用光導電層２４２において電荷対が発生し、そのうち正の電荷は第１の電極層２４１に帯電した負の電荷と結合して消滅し、負の電荷は潜像電荷として電荷蓄積層３４３に蓄積される（図４１（Ｂ）参照）。なお、第２の電極層２４６に接した線状の電荷蓄積層３４３は絶縁性の膜であるから、この電荷蓄積層３４３に到達した電荷はそこに捕えられ、第２の電極層２４６へ行くことができず、蓄積されて留まる。
【０２９１】
ここでも、上記例のＸ線画像検出器３４０と同様に、記録用光導電層２４２において発生した電荷のうち、その直下に線状の電荷蓄積層３４３が存在する電荷のみを蓄積することによって、格子１３１の自己像は電荷蓄積層３４３の線状のパターンとの重ね合わせにより強度変調を受け、被写体Ｈによる自己像の波面の歪みを反映した縞画像の画像信号が電荷蓄積層３４３に蓄積されることになる。
【０２９２】
そして、図４２に示すように、第１の電極層２４１が接地された状態において、線状読取光源２５０から発せられた線状の読取光Ｌ１が第２の電極層２４６側から照射される。読取光Ｌ１は、透明線状電極２４６ａを透過して電荷蓄積層３４３近傍の記録用光導電層２４２に照射され、その読取光Ｌ１の照射により発生した正の電荷が線状の電荷蓄積層３４３へ引き寄せられて再結合する。そして、もう一方の負の電荷は、透明線状電極２４６ａへ引き寄せられ、透明線状電極２４６ａに帯電した正の電荷及び透明線状電極２４６ａに接続されたチャージアンプ２００を介して遮光線状電極２４６ｂに帯電した正の電荷と結合する。これによりチャージアンプ２００に電流が流れ、この電流が積分されて画像信号として検出される。
【０２９３】
上述したＸ線画像検出器３６０を用いた場合においても、複数の縞画像信号の取得方法及び位相コントラスト画像の生成方法は上記各例と同様である。
【０２９４】
また、上記各例においては、Ｘ線画像検出器３４０の電荷蓄積層３４３を、完全に線状に分離して形成するようにしたが、これに限らず、たとえば、図４３に示すように、平板形状の上に線状のパターンを形成することによって格子状に形成するようにしてもよい。
【０２９５】
図４４は、本発明の実施形態を説明するための放射線撮影システムの他の例に関し、その演算部の構成を示す。
【０２９６】
前述した各Ｘ線撮影システムによれば、これまで描出が難しかったＸ線弱吸収物体の高コントラストな画像（位相コントラスト画像）が得られるが、更に、位相コントラスト画像と対応して吸収画像が参照できることは読影の助けになる。例えば、吸収画像と位相コントラスト画像を重み付けや階調、周波数処理などの適当な処理によって重ね合わせることにより吸収画像で表現できなかった部分を位相コントラスト画像の情報で補うことは有効である。しかし、位相コントラスト画像とは別に吸収画像を撮影することは、位相コントラスト画像の撮影と吸収画像の撮影の間の撮影肢位のズレによって良好な重ね合わせを困難にするのに加え、撮影回数が増えることにより被検者の負担となる。また、近年、位相コントラスト画像や吸収画像の他に、小角散乱画像が注目されている。小角散乱画像は、被検体組織内部の微細構造に起因する組織性状を表現可能であり、例えば、ガンや循環器疾患といった分野での新しい画像診断のための表現方法として期待されている。
【０２９７】
そこで、本Ｘ線撮影システムは、位相コントラスト画像のために取得した複数枚の画像から、吸収画像や小角散乱画像を生成することも可能とする演算処理部１９０を用いる。演算処理部１９０は、位相コントラスト画像生成部１９１、吸収画像生成部１９２、小角散乱画像生成部１９３が構成されている。これらは、いずれもｋ＝０，１，２，・・・，Ｍ−１のＭ個の各走査位置で得られる画像データに基づいて演算処理を行う。このうち、位相コントラスト画像生成部１９１は、前述の手順に従って位相コントラスト画像を生成する。
【０２９８】
吸収画像生成部１９２は、画素ごとに得られる画素データＩｋ（ｘ，ｙ）を、図４５に示すように、ｋについて平均化して平均値を算出して画像化することにより吸収画像を生成する。なお、平均値の算出は、画素データＩｋ（ｘ，ｙ）をｋについて単純に平均化することにより行なっても良いが、Ｍが小さい場合には誤差が大きくなるため、画素データＩｋ（ｘ，ｙ）を正弦波でフィッティングした後、フィッティングした正弦波の平均値を求めるようにしてもよい。また、吸収画像の生成には、平均値に限られず、平均値に対応する量であれば、画素データＩｋ（ｘ，ｙ）をｋについて加算した加算値等を用いることが可能である。
【０２９９】
なお、被写体がない状態で撮影（プレ撮影）して取得される画像群から、吸収像を作成するようにしてもよい。この吸収像は、検出系の透過率ムラを反映している（グリッドの透過率ムラ、等の情報が含まれている）。そこで、この画像から、検出系の透過率ムラを補正するための補正係数マップを作成することが出来る。被写体がある状態で撮影（メイン撮影）して取得される画像群から、吸収像を作成し、前述の補正係数を各画素にかけることで、検出系の透過率ムラを補正した、被写体の吸収像を得ることが出来る。
【０３００】
小角散乱画像生成部１９３は、画素ごとに得られる画素データＩｋ（ｘ，ｙ）の振幅値を算出して画像化することにより小角散乱画像を生成する。なお、振幅値の算出は、画素データＩｋ（ｘ，ｙ）の最大値と最小値との差を求めることによって行なっても良いが、Ｍが小さい場合には誤差が大きくなるため、画素データＩｋ（ｘ，ｙ）を正弦波でフィッティングした後、フィッティングした正弦波の振幅値を求めるようにしても良い。また、小角散乱画像の生成には、振幅値に限られず、平均値を中心としたばらつきに対応する量として、分散値や標準偏差等を用いることが可能である。
【０３０１】
本Ｘ線撮影システムによれば、被写体の位相コントラスト画像のために取得した複数枚の画像から吸収画像や小角散乱画像を生成するので、吸収画像や小角散乱画像の撮影の間の撮影肢位のズレが生じず、位相コントラスト画像と吸収画像や小角散乱画像との良好な重ね合わせが可能となる。
【０３０２】
前述の各Ｘ線撮影システムでは、放射線として一般的なＸ線を用いる場合について説明したが、本発明に用いられる放射線はＸ線に限られるものではなく、α線、γ線等のＸ線以外の放射線を用いることも可能である。
【０３０３】
以上説明した各例は、本発明を医療診断用の装置に適用したものであるが、本発明は医療診断用途に限られず、工業用等のその他の放射線検出装置に適用することが可能である。
【０３０４】
以上、説明したように、本明細書には、
第１の方向に配列された複数の条帯を有する第１の格子と、
前記第１の格子を通過した放射線によって形成される放射線像のパターン周期に実質的に一致する周期で配列された格子パターンと、
前記格子パターンによってマスキングされた前記放射線像を複数の画素を用いて検出する放射線画像検出器と、を備え、
前記第１の格子は、当該第１の格子を通過する放射線の光軸に交差する面内において少なくとも前記第１の方向に配列された複数の第１の格子片を含み、
前記第１の格子片の前記第１の方向における配列ピッチは、前記放射線画像検出器の前記第１の方向における画素ピッチの２倍以上であることを特徴とする放射線画像検出装置が開示されている。
【０３０５】
また、本明細書に開示された放射線画像検出装置においては、
前記格子パターンは、第１の方向に配列された複数の条帯を有する第２の格子であり、
前記第２の格子は、当該第２の格子を通過する放射線の光軸と交差する面内において少なくとも前記第１の方向に配列された複数の第２の格子片を含み、
前記第２の格子片の前記第１の方向における配列ピッチは、前記放射線画像検出器の前記第１の方向における画素ピッチの２倍以上である。
【０３０６】
また、本明細書には、
第１の方向に配列された複数の条帯を有する第１の格子と、
前記第１の格子を通過した放射線によって形成される放射線像のパターン周期に実質的に一致する周期で第１の方向に配列された複数の条帯を有する第２の格子と、
前記第２の格子によってマスキングされた前記放射線像を複数の画素を用いて検出する放射線画像検出器と、を備え、
前記第２の格子は、当該第２の格子を通過する放射線の光軸と交差する面内において少なくとも前記第１の方向に配列された複数の第２の格子片を含み、
前記第２の格子片の前記第１の方向における配列ピッチは、前記放射線画像検出器の前記第１の方向における画素ピッチの２倍以上であることを特徴とする放射線画像検出装置が開示されている。
【０３０７】
また、本明細書に開示された放射線画像検出装置においては、
前記第１の格子を通過する放射線は、放射線焦点からの距離に比例して照射範囲が拡大されるコーンビームであり、
前記配列ピッチは、当該配列ピッチを有する格子と放射線焦点との間の距離と、前記放射線画像検出器と放射線焦点との間の距離との比である拡大率に基づいて補正された値である。
【０３０８】
また、本明細書に開示された放射線画像検出装置においては、
前記第１の格子片の配列ピッチと、前記第２の格子片の配列ピッチとは、ほぼ等しい。
【０３０９】
また、本明細書に開示された放射線画像検出装置においては、
前記第１の格子及び前記第２の格子の少なくとも一方の格子において、
放射線の光軸に沿った方向での前記格子の寸法をｈ、前記格子の条帯と条帯との間隔をｄ、前記格子の配列ピッチをＰＢ、前記格子と放射線焦点との間の距離をＲとすると、
【数２９】
2014030439.tif 000031
を満たす。
【０３１０】
また、本明細書に開示された放射線画像検出装置においては、
前記配列ピッチは、前記放射線画像検出器によって検出されるモアレの基本周波数と、少なくとも第４次までの高調波成分の周波数とに基づいて決められる。
【０３１１】
また、本明細書に開示された放射線画像検出装置においては、
前記配列ピッチは、前記画素ピッチの６倍以上である。
【０３１２】
また、本明細書に開示された放射線画像検出装置においては、
前記配列ピッチは、前記画素ピッチの８倍以上である。
【０３１３】
また、本明細書に開示された放射線画像検出装置においては、
前記配列ピッチは、前記画素ピッチの１０倍以上である。
【０３１４】
また、本明細書に開示された放射線画像検出装置においては、
前記第１の格子片及び前記第２の格子片の少なくとも一方は、隣り合う格子片の間に帯状の境界部を有する。
【０３１５】
また、本明細書に開示された放射線画像検出装置においては、
前記第１の格子片及び前記第２の格子片はそれぞれ、放射線焦点を通る軸を有する円筒面にほぼ沿って配置される。
【０３１６】
また、本明細書に開示された放射線画像検出装置においては、
前記複数の第１の格子片及び前記複数の第２の格子片の少なくとも一方は、前記第１の方向と交差する第２の方向にも配列される。
【０３１７】
また、本明細書に開示された放射線画像検出装置においては、
前記第１の格子及び前記第２の格子の少なくとも一方は、前記第１の方向と交差する第２方向に配列された複数の条帯を更に有する。
【０３１８】
また、本明細書には、
上述の放射線画像検出装置と、
前記第１の格子に向けて放射線を照射する放射線源とを備えることを特徴とする放射線撮影装置が開示されている。
【０３１９】
また、本明細書には、
上述の放射線撮影装置と、
前記放射線撮影装置の前記放射線画像検出器により検出された画像から、前記放射線画像検出器に入射する放射線の屈折角の分布を演算し、この屈折角の分布に基づいて、被写体の位相コントラスト画像を生成する演算処理部と、を備えることを特徴とする放射線撮影システムが開示されている。
【符号の説明】
【０３２０】
１０  Ｘ線撮影システム
１１  Ｘ線源（放射線源）
１２  撮影部（放射線画像検出装置）
１３  コンソール（制御演算手段）
３０  フラットパネル検出器（ＦＰＤ）
３１  第１の吸収型格子
３１ａ  基板
３１ｂ  Ｘ線遮蔽部（条帯）
３２  第２の吸収型格子
３２ａ  基板
３２ｂ  Ｘ線遮蔽部（条帯）
３１１  第１の格子片
３１２  第２の格子片
３１５  境界部
３２５  境界部
ＰＢ１，ＰＢ２  配列ピッチ
ＰＣ１，ＰＣ２  配列ピッチ
ＰＤ    画度ピッチ
【図１】
2014030439.tif 000033
【図２】
2014030439.tif 000034
【図３】
2014030439.tif 000035
【図４】
2014030439.tif 000036
【図５】
2014030439.tif 000037
【図６】
2014030439.tif 000038
【図７】
2014030439.tif 000039
【図８】
2014030439.tif 000040
【図９】
2014030439.tif 000041
【図１０】
2014030439.tif 000042
【図１１】
2014030439.tif 000043
【図１２】
2014030439.tif 000044
【図１３】
2014030439.tif 000045
【図１４】
2014030439.tif 000046
【図１５】
2014030439.tif 000047
【図１６】
2014030439.tif 000048
【図１７】
2014030439.tif 000049
【図１８】
2014030439.tif 000050
【図１９】
2014030439.tif 000051
【図２０】
2014030439.tif 000052
【図２１】
2014030439.tif 000053
【図２２】
2014030439.tif 000054
【図２３】
2014030439.tif 000055
【図２４】
2014030439.tif 000056
【図２８】
2014030439.tif 000057
【図２９】
2014030439.tif 000058
【図３０】
2014030439.tif 000059
【図３１】
2014030439.tif 000060
【図３２】
2014030439.tif 000061
【図３３】
2014030439.tif 000062
【図３４】
2014030439.tif 000063
【図３５】
2014030439.tif 000064
【図３６】
2014030439.tif 000065
【図３７】
2014030439.tif 000066
【図３８】
2014030439.tif 000067
【図３９】
2014030439.tif 000068
【図４０】
2014030439.tif 000069
【図４１】
2014030439.tif 000070
【図４２】
2014030439.tif 000071
【図４３】
2014030439.tif 000072
【図４４】
2014030439.tif 000073
【図４５】
2014030439.tif 000074
【図２５】
2014030439.tif 000075
【図２６】
2014030439.tif 000076
【図２７】
2014030439.tif 000077